(57)【特許請求の範囲】
【請求項１】
気体中に含まれる粒子を検出する粒子検出センサであって、
投光素子と、
検知領域における前記粒子による前記投光素子の光の散乱光を受光する受光素子と、
前記受光素子からの出力を示す検知信号を用いて前記気体中に含まれる前記粒子の質量濃度を算出する処理部とを備え、
前記処理部は、
前記検知信号の波形から抽出された複数の波高値の各々について、１以上の第一閾値により区分けされた複数の波高値区分のうちのいずれの波高値区分に属するかを判定する判定処理と、
前記判定処理によって前記複数の波高値区分の各々について判定された前記波高値の個数、及び、前記複数の波高値区分の各々において１以上の第二閾値により区分けされた複数の粒径区分の各々が含まれる含有比率を用いて、前記複数の粒径区分の各々における粒子数を推定する推定処理と、
前記複数の粒径区分の各々における粒子数を用いて、前記質量濃度を算出する算出処理とを実行する
粒子検出センサ。
【請求項２】
前記複数の波高値区分のうち一の波高値区分における前記含有比率は、当該一の波高値区分について判定された前記波高値の個数と、当該一の波高値区分より大きい他の波高値区分の各々について判定された前記波高値の個数、及び、前記検知領域内の位置に応じた信号強度の変化とに基づく値である
請求項１に記載の粒子検出センサ。
【請求項３】
前記第一閾値及び前記第二閾値の少なくとも一方は、
測定対象となる粒径分布に応じて任意の個数及び間隔で設定される
請求項１又は２に記載の粒子検出センサ。
【請求項４】
前記第一閾値は、前記検知信号に含まれるノイズの波高値に対応するノイズ閾値を含み、
前記処理部は、前記推定処理において、
前記複数の波高値区分のうち前記ノイズ閾値を上限として区分けされた波高値区分以外の他の波高値区分の各々について判定された前記波高値の個数、及び、当該他の波高値区分の各々における前記含有比率を用いて、前記複数の粒径区分の各々における粒子数を推定する
請求項１〜３のいずれか１項に記載の粒子検出センサ。
【請求項５】
前記処理部は、前記算出処理において、
前記複数の粒径区分の各々における粒子数に対して、当該粒径区分における平均質量に基づく係数を乗ずることにより、前記質量濃度を算出する
請求項１〜４のいずれか１項に記載の粒子検出センサ。
【請求項６】
前記処理部は、前記算出処理において、
前記複数の粒径区分の各々における粒子数に対して、当該粒径区分における粒子の存在比率を考慮した代表質量に基づく係数を乗ずることにより、前記質量濃度を算出する
請求項１〜５のいずれか１項に記載の粒子検出センサ。
【請求項７】
前記処理部は、前記算出処理において、
所望の粒径範囲に含まれる粒径区分の各々における前記質量濃度を算出し、算出した質量濃度を合算することにより当該所望の粒径範囲における前記質量濃度を算出する
請求項１〜６のいずれか１項に記載の粒子検出センサ。
【請求項８】
前記処理部は、前記判定処理において、
前記検知信号の波形から抽出された複数の波高値と１以上の第一閾値との相対関係を補正し、補正後の相対関係を用いて、前記複数の波高値の各々について、前記第一閾値により区分けされた複数の波高値区分のうちのいずれの波高値区分に属するかを判定する判定処理を実行することにより、前記質量濃度を算出する
請求項１に記載の粒子検出センサ。
【請求項９】
前記処理部は、前記判定処理において、
前記複数の波高値区分の各々における上限と下限との差の比率が当該複数の波高値区分の間で維持されるように前記第一閾値の各々を補正することにより、前記相対関係を補正する
請求項８に記載の粒子検出センサ。
【請求項１０】
前記処理部は、前記判定処理において、
前記検知信号における任意のレベルを基準として前記第一閾値の各々を補正する
請求項９に記載の粒子検出センサ。
【請求項１１】
前記処理部は、前記判定処理において、
抽出された前記複数の波高値の各々を補正することにより、前記相対関係を補正する
請求項８に記載の粒子検出センサ。
【請求項１２】
前記処理部は、前記判定処理において、
前記検知信号における任意のレベルを基準として前記複数の波高値の各々を補正する
請求項１１に記載の粒子検出センサ。
【請求項１３】
前記処理部は、前記判定処理において、
前記検知領域に所定の粒径を有する基準粒子が導入された場合における前記受光素子からの出力に基づいて、前記相対関係を補正する
請求項８〜１２のいずれか１項に記載の粒子検出センサ。
【請求項１４】
前記投光素子は、５００ｎｍ以上かつ７００ｎｍ以下にピーク波長を持つ光を投光し、
１以上の前記第一閾値のいずれか１つは、１．０μｍ以下の粒径に対応する値である
請求項１〜１３のいずれか１項に記載の粒子検出センサ。
【請求項１５】
さらに、前記受光素子から出力された電流を電圧に変換することにより電圧信号を生成するＩＶ変換部と、
前記電圧信号を所定の帯域で増幅する増幅部と、
前記増幅部で増幅された電圧信号をサンプリング及び量子化するＡＤ変換部とを備える
請求項１〜１４のいずれか１項に記載の粒子検出センサ。
【請求項１６】
前記粒子検出センサは、さらに、当該粒子検出センサの感度に応じた補正係数を記憶している記憶部を備え、
前記補正係数は、前記検知領域に所定の粒径を有する標準粒子が導入された場合に前記受光素子から出力された電流に基づいて算出された値であり、
前記処理部は、前記補正係数を用いて前記相対関係を補正する
請求項１〜１５のいずれか１項に記載の粒子検出センサ。
【発明の詳細な説明】
【技術分野】
【０００１】
本発明は、粒子検出センサに関する。
【背景技術】
【０００２】
従来、大気中（気体中）に浮遊する粒子（エアロゾル）によって散乱された光（散乱光）を検知することで、粒子を検出する光散乱式粒子検出センサが知られている（例えば、特許文献１参照）。【０００３】
特許文献１に記載の光散乱式粒子検出センサは、筐体（光学室）内に投光素子と受光素子とを備える光散乱式粒子検出センサである。当該センサは、測定対象の気体を筐体内に取り込んで、取り込んだ気体に投光素子からの光を照射し、その散乱光によって気体に含まれる粒子の有無を検出する。例えば、大気中に浮遊するホコリ、花粉、煙、ＰＭ２．５（微小粒子状物質）などの粒子を検出することができる。
【先行技術文献】
【特許文献】
【０００４】
【特許文献１】特許第３７３１３３８号公報
【特許文献２】特開平１１−２４８６２９号公報
【発明の概要】
【発明が解決しようとする課題】
【０００５】
ところで、光散乱式粒子検出センサでは、気体の単位体積当たりに含まれる粒子の質量である質量濃度を算出するために、当該粒子の検出精度のさらなる向上が期待されている。【０００６】
そこで、本発明は、粒子の検出精度を向上させることができる粒子検出センサを提供することを第１の目的とする。【０００７】
また、光散乱式粒子検出センサとして、迷光の発生を低減するために、投光素子又は受光素子と対向する位置に光トラップが設けられたものが知られている（例えば、特許文献２参照）。【０００８】
しかしながら、このような構成では、個体ごとに特性が異なる場合がある。このような場合、同一の気体が導入された場合であっても、特性のバラつきによって、複数の粒子検出センサの検出結果にバラつきが生じる虞がある。そこで、本発明は上記課題を解決するためになされたものであって、センサ個体の特性バラツキによる検出結果のバラツキを抑制し、粒子の検出精度を向上した粒子検出センサを提供することを第２の目的とする。
【課題を解決するための手段】
【０００９】
上記第１の目的を達成するため、本発明の一態様に係る第１の粒子検出センサは、気体中に含まれる粒子を検出する粒子検出センサであって、投光素子と、検知領域における前記粒子による前記投光素子の光の散乱光を受光する受光素子と、前記受光素子からの出力を示す検知信号を用いて前記気体中に含まれる前記粒子の質量濃度を算出する処理部とを備え、前記処理部は、前記検知信号の波形から抽出された複数の波高値と１以上の第一閾値との相対関係を補正し、補正後の相対関係を用いて、前記複数の波高値の各々について、前記第一閾値により区分けされた複数の波高値区分のうちのいずれの波高値区分に属するかを判定する判定処理を実行することにより、前記質量濃度を算出する。【００１０】
また、上記第１の目的を達成するため、本発明の一態様に係る第２の粒子検出センサは、気体中に含まれる粒子を検出する粒子検出センサであって、投光素子と、検知領域における前記粒子による前記投光素子の光の散乱光を受光する受光素子と、前記受光素子からの出力を示す検知信号を用いて前記気体中に含まれる前記粒子の質量濃度を算出する処理部とを備え、前記処理部は、前記検知信号の波形から抽出された複数の波高値の各々について、１以上の第一閾値により区分けされた複数の波高値区分のうちのいずれの波高値区分に属するかを判定する判定処理と、前記複数の波高値区分の各々について判定された前記波高値の個数、及び、前記複数の波高値区分の各々において１以上の第二閾値により区分けされた複数の粒径区分の各々が含まれる含有比率を用いて、前記複数の粒径区分の各々における粒子数を推定する推定処理と、前記複数の粒径区分の各々における粒子数を用いて、前記質量濃度を算出する算出処理とを実行する。【００１１】
また、上記第２の目的を達成するために、本発明の一態様に係る第３の粒子検出センサは、投光素子と受光素子とを備え、検知領域における粒子による前記投光素子の光の散乱光を前記受光素子で受光することにより気体中に含まれる粒子を検出する粒子検出センサを含む粒子検出センサであって、前記受光素子から出力された電流を電圧に変換することにより電圧信号を生成するＩＶ変換部と、前記電圧信号を所定の帯域で増幅する増幅部と、前記増幅部で増幅された電圧信号をサンプリング及び量子化するＡＤ変換部とを備える。【００１２】
更に、当該粒子検出センサの感度に応じた補正係数を記憶している記憶部と、前記受光素子から出力された電流を電圧に変換することにより電圧信号を生成するＩＶ変換部と、前記電圧信号を所定の帯域で増幅する増幅部と、増幅された前記電圧信号をサンプリング及び量子化するＡＤ変換部と、前記ＡＤ変換部でサンプリング及び量子化された前記電圧信号である時系列のデジタルデータ及び前記補正係数を用いて、前記波高値区分を決定する閾値を補正する補正係数を備える。
【発明の効果】
【００１３】
本発明の一態様に係る粒子検出センサによれば、粒子の検出精度を向上させることができる。
【図面の簡単な説明】
【００１４】
【図１】図１は、実施の形態に係る粒子検出センサを備える空気清浄機の構成の一例を示すブロック図である。
【図２】図２は、実施の形態に係るセンサ部の斜視図である。
【図３】図３は、実施の形態に係るセンサ部の分解斜視図である。
【図４】図４は、実施の形態に係るセンサ部の筐体内部を示す断面図である。
【図５】図５は、実施の形態における信号変換部及びこれに関連する構成を示すブロック図である。
【図６】図６は、実施の形態に係る処理部の動作を示すフローチャートである。
【図７】図７は、実施の形態に係る受光素子から出力されるアナログ信号の一例を示す波形図である。
【図８Ａ】図８Ａは、実施の形態に係る検知信号の一例を示す波形図である。
【図８Ｂ】図８Ｂは、実施の形態に係る検知信号の一例を示す波形図である。
【図８Ｃ】図８Ｃは、実施の形態に係る検知信号の一例を示す波形図である。
【図９】図９は、実施の形態に係る粒子検出処理を示すフローチャートである。
【図１０】図１０は、実施の形態に係る粒径ごとの波高値と距離との関係の一例を示す図である。
【図１１】図１１は、実施の形態に係る粒子検出センサの製造工程における、記憶部への補正係数の初期設定処理について説明するためのブロック図である。
【図１２】図１２は、実施の形態に係る粒子検出センサの製造工程における、補正係数の初期設定処理を示すフローチャートである。
【図１３】図１３は、実施の形態に係る書き込み部によって算出された補正係数について説明するためのグラフである。
【図１４】図１４は、実施の形態に係る波高値計数処理を示すフローチャートである。
【図１５】図１５は、実施の形態に係る波高値区分各々の波高値数の一例を示す図である。
【図１６】図１６は、実施の形態に係る粒径区分各々の粒子数の一例を示す図である。
【図１７】図１７は、実施の形態の変形例１に係る粒子検出センサを備える空気清浄機の構成の一例を示すブロック図である。
【図１８】図１８は、実施の形態の変形例２に係る粒子検出センサを備える空気清浄機の構成の一例を示すブロック図である。
【図１９】図１９は、実施の形態の変形例２に係る検知信号の一例を示す波形図である。
【図２０】図２０は、実施の形態の変形例２に係る粒子検出処理を示すフローチャートである。
【図２１】図２１は、実施の形態の変形例２に係る質量濃度算出処理を示すフローチャートである。
【図２２】図２２は、実施の形態の変形例２に係る粒径分布の一例を示すグラフである。
【図２３】図２３は、実施の形態の変形例２に係る粒子の規格化質量の一例を示すグラフである。
【図２４】図２４は、実施の形態の変形例３に係る粒子検出センサにおいてＰＭ２．５の質量濃度を算出するために用いられる、一般的なＰＭ２．５分粒装置の通過率特性を示すグラフである。
【図２５】図２５は、実施の形態の変形例４に係る粒子検出センサの一部の構成の一例を示すブロック図である。
【図２６】図２６は、実施の形態の変形例４における増幅器の構成の一例を示す回路図である。
【図２７Ａ】図２７Ａは、実施の形態の変形例４における増幅器の出力電圧を示すグラフである。
【図２７Ｂ】図２７Ｂは、実施の形態の変形例４における増幅器の出力電圧を示すグラフである。
【図２８】図２８は、実施の形態の変形例４における増幅器、判定部及びＤＡ変換部の接続関係を模式的に示す模式図である。
【図２９】図２９は、実施の形態の変形例４における判定部の出力、及び、ＤＡ変換部の出力を示すグラフである。
【図３０】図３０は、実施の形態の変形例５に係る粒子検出センサの一部の構成の一例を示すブロック図である。
【図３１】図３１は、実施の形態の変形例５におけるＩＶ変換部の一例を示す回路図である。
【図３２】図３２は、実施の形態の変形例５における増幅器の一例を示す回路図である。
【図３３】図３３は、実施の形態の変形例５において、微小粒子及び粗大粒子の各々について、ゲイン制御部によるＡＧＣが行われない場合と行われる場合とのデジタルデータを模式的に示す図である。
【図３４】図３４は、実施の形態の変形例６に係る粒子検出センサの一部の構成の一例を示すブロック図である。
【図３５】図３５は、実施の形態の変形例６において、増幅部の入力電圧の波形及び出力電圧の波形を模式的に示す図である。
【図３６】図３６は、実施の形態の変形例６に係る粒子検出センサが奏する効果について説明するための図である。
【図３７】図３７は、実施の形態の変形例６に係る粒子検出センサの他の一例が奏する効果について説明するための図である。
【図３８】図３８は、実施の形態の変形例６に係る粒子検出センサの一部の構成の他の一例を示すブロック図である。
【図３９】図３９は、都市大気の粒径分布を示すグラフである。
【図４０】図４０は、実施の形態に係る粒子検出センサを備える空気清浄機の外観図である。
【図４１】図４１は、実施の形態に係る粒子検出センサを備える煙感知器の外観図である。
【図４２】図４２は、実施の形態に係る粒子検出センサを備える換気扇の外観図である。
【図４３】図４３は、実施の形態に係る粒子検出センサを備えるエアコンの外観図である。
【発明を実施するための形態】
【００１５】
以下では、本発明の実施の形態に係る粒子検出センサなどについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、並びに、ステップ及びステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１６】
また、各図は、模式図であり、必ずしも厳密に図示されたものではない。また、各図において、同じ構成部材については同じ符号を付し、重複する説明は省略又は簡略化する場合がある。
【００１７】
（実施の形態）
実施の形態に係る粒子検出センサについて、図１〜図１６を用いて説明する。本実施の形態では、粒子検出センサが、空気清浄機に備えられている場合について説明する。
【００１８】
［１．空気清浄機の構成］
まず、実施の形態に係る空気清浄機の構成について説明する。図１は、実施の形態に係る粒子検出センサ１を備える空気清浄機１０００の構成の一例を示すブロック図である。
【００１９】
同図に示すように、空気清浄機１０００は、センサ部２００と、信号変換部６１０と、処理部６２０と有する粒子検出センサ１を備え、本実施の形態では、さらに、操作部６３０と、制御部６００とを備えている。また、本実施の形態では、粒子検出センサ１は、さらに、記憶部６５０を備える。
【００２０】
センサ部２００は、本実施の形態では、粒子の散乱光の強度を示す信号を出力するセンサである。センサ部２００の構成については、後で詳述する。
【００２１】
信号変換部６１０は、Ａ／Ｄ変換器（アナログデジタル変換器）及びノイズフィルタを有する回路を用いて構成されている。信号変換部６１０は、センサ部２００から出力されるアナログ信号からノイズを除去した信号をデジタル信号に変換して、処理部６２０に対して出力する。なお、信号変換部６１０は必須構成ではなく、処理部６２０側でＡ／Ｄ変換及びノイズ除去等の処理を行ってもかまわない。
【００２２】
処理部６２０は、ＣＰＵ（Ｃｅｎｔｒａｌ  Ｐｒｏｃｅｓｓｉｎｇ  Ｕｎｉｔ）あるいはマイクロプロセッサ、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等のメモリを備えるコンピュータシステムである場合を例に説明する。メモリには、粒子の質量濃度の算出を行うためのコンピュータプログラムが記憶されている。ＣＰＵあるいはマイクロプロセッサが、コンピュータプログラムに従って動作することにより、粒子の質量濃度の算出を行うことができる。処理部６２０は、検知信号を用いて気体中に浮遊する粒子の質量濃度を算出する。処理部６２０の動作については、後で詳述する。
【００２３】
操作部６３０は、ユーザが空気清浄機１０００の設定、例えば、風量、加湿の有無、及び、タイマーの設定等を行うためのラチェット機構を利用したボタン等で構成される。
【００２４】
制御部６００は、空気清浄機１０００の動作制御を行う。制御部６００は、例えば、空気清浄機１０００が自動運転に設定されている場合に、処理部６２０から出力される質量濃度等に応じて風量の調節等を行う。また、制御部６００は、空気清浄機１０００の筐体に設けられた表示部（図示せず）に、現在の風量、粒子（ハウスダスト）の検出の有無等を示す表示を行わせるように構成してもかまわない。
【００２５】
記憶部６５０は、補正係数ｆｋ１を記憶している、例えばメモリである。例えば、記憶部６５０は、補正係数ｆｋ１として、当該記憶部６５０が搭載された粒子検出センサ１の感度に応じた値を記憶している。
【００２６】
ここで、補正係数ｆｋ１は、例えば、センサ部２００に所定の粒径を有する基準粒子が導入された場合にセンサ部２００から出力されたアナログ信号に基づいて算出された値であり、粒子検出センサ１の製造工程において書き込まれることにより生成されている。言い換えると、補正係数ｆｋ１は、粒子検出センサ１の製造工程において初期設定されている。なお、製造工程における補正係数の初期設定処理については、後述する。
【００２７】
［１−１．センサ部の全体構成］
次に、実施の形態に係るセンサ部２００の構成について、図２〜図４を用いて説明する。図２〜図４はそれぞれ、実施の形態に係るセンサ部２００の一例を示す斜視図、分解斜視図、及び、筐体内部の一例を示す断面図である。図４は、より詳細には、本実施の形態に係る背面カバー１１０及び前面カバー１００の内部構造を示す概観斜視図である。
【００２８】
センサ部２００は、流入口１０１が下方、流出口１０２が上方になるように配置される。具体的には、センサ部２００は、図２に示すＹ軸方向が鉛直上向きになるように配置される。なお、センサ部２００は、扁平な略直方体状であり、互いに直交する２つの辺に沿った方向をそれぞれＸ軸方向及びＹ軸方向とする。また、センサ部２００の厚さ方向をＺ軸方向とする。本実施の形態では、センサ部２００は、例えば、Ｘ：５２ｍｍ×Ｙ：４５ｍｍ×Ｚ：２２ｍｍに収まる範囲の大きさである。
【００２９】
センサ部２００は、図２及び図４に示すように、筐体１０と、筐体１０の内部に配置された光学系２０とを備える光散乱式粒子検出センサである。本実施の形態では、センサ部２００は、光散乱式粒子検出センサである。具体的には、センサ部２００は、光学系２０が筐体１０内の検知領域ＤＡに光を照射し、検知領域ＤＡを通過する粒子２（エアロゾル）による光の散乱光を受光することで、粒子２の有無を検出する。また、センサ部２００は、粒子２の有無に限らず、粒子２の個数及び大きさなどを検出してもよい。なお、センサ部２００が検出の対象とする粒子２は、例えば、５μｍ以下の微小なホコリ、花粉、煙、ＰＭ２．５などの微粒子である。
【００３０】
筐体１０は、光学系２０及び検知領域ＤＡを覆う筐体（ケース）である。筐体１０は、光学系２０及び検知領域ＤＡに外光が照射されないように、光学系２０及び検知領域ＤＡを覆っている。
【００３１】
筐体１０は、内部に粒子２が流入するための流入口１０１と、内部に流入した粒子２が外部に流出するための流出口１０２とを有する。本実施の形態では、図４の太点線の矢印で示すように、粒子２を含む気体が流入口１０１から流入し、筐体１０の内部（例えば、検知領域ＤＡ）を通って流出口１０２から流出する。筐体１０の詳細な構成については、後で説明する。
【００３２】
光学系２０は、流入口１０１を介して筐体１０内に流入し、かつ、筐体１０に覆われた検知領域ＤＡを通過する粒子２を光学的に検出する。本実施の形態では、光学系２０は、筐体１０に覆われた検知領域ＤＡに互いの光軸（光軸Ｐ及び光軸Ｑ）が交差するように配置された投光系１２０及び受光系１３０を有し、検知領域ＤＡを通過する粒子２を、投光系１２０が出力する光を用いて検出する。投光系１２０は、投光素子１２１と、投光レンズ１２２とを備える。受光系１３０は、受光素子１３１と、受光レンズ１３２とを備える。光学系２０の詳細な構成については、後で説明する。
【００３３】
なお、検知領域（光散乱部）ＤＡは、測定対象の気体に含まれる粒子２を検知するための領域であるエアロゾル検知領域（エアロゾル測定部）である。本実施の形態では、検知領域ＤＡは、投光系１２０の光軸Ｐと受光系１３０の光軸Ｑとが交差する交点を含む領域である。検知領域ＤＡは、例えば、φ２ｍｍである。測定対象の気体は、筐体１０の流入口１０１から流入し、検知領域ＤＡに誘導された後、流出口１０２から流出する。
【００３４】
センサ部２００は、図２〜図４に示すように、さらに、ホコリ抑制壁３０と、第一光トラップ４０と、第二光トラップ５０と、加熱装置６０と、回路基板７０と、コネクタ８０と、第一シールドカバー９０と、第二シールドカバー９１とを備える。
【００３５】
ホコリ抑制壁３０は、流入口１０１と検知領域ＤＡとの間に設けられた壁であって、粒子２より大きいホコリが検知領域ＤＡに進入するのを抑制する。ここで、検知領域ＤＡへの進入を抑制すべき対象となるホコリ（塵埃）は、例えば、２μｍ以上の粒子である。
【００３６】
また、ホコリ抑制壁３０は、流入口１０１と第一光トラップ４０との間に設けられた壁であって、気体が第一光トラップ４０に進入しないように気体を誘導する第一気体誘導壁である。ホコリ抑制壁３０の詳細な構成については、後で説明する。
【００３７】
第一光トラップ４０は、投光系１２０から出力されて検知領域ＤＡを通った光をトラップする。具体的には、第一光トラップ４０は、内部に一旦入射した光が外部に出射しないように吸収する。本実施の形態では、第一光トラップ４０は、楔形の閉空間を有するが、ラビリンス構造であってもよい。
【００３８】
本実施の形態では、第一光トラップ４０は、検知領域ＤＡを介して投光系１２０と対向する位置に設けられている。具体的には、第一光トラップ４０は、入射した光が出射することが困難な第一閉空間４１及び４３を有している。第一閉空間４１及び４３の各々には、第一開口部４２及び４４が設けられている。第一光トラップ４０は、投光系１２０から出力されて検知領域ＤＡを通った光を、複数の第一開口部４２及び４４の各々を通過するように分割してからトラップする。
【００３９】
第二光トラップ５０は、第一光トラップ４０にトラップされない光をトラップする。第二光トラップ５０は、入射した光が出射することが困難な第二閉空間５１を有している。第二閉空間には、第二開口部５２が設けられている。例えば、第二光トラップ５０は、投光系１２０から出力されて検知領域ＤＡを通らない光（漏れ光）、及び、第一光トラップ４０に一旦入射したものの再び第一光トラップ４０から出射された光などをトラップする。
【００４０】
本実施の形態では、第二光トラップ５０は、検知領域ＤＡを介して受光系１３０と対向する位置に設けられている。第二光トラップ５０は、例えば、複数の楔形突出部１１５が設けられたラビリンス構造である。
【００４１】
加熱装置６０は、流入口１０１から流入した粒子２を含む気体を、検知領域ＤＡを通るように流すことで、筐体１０内に気流を生成する気流生成部の一例である。本実施の形態では、加熱装置６０は、筐体１０の下部に配置されて、気体を加熱するヒータである。具体的には、加熱装置６０は、粒子２を含む気体を加熱することで、図４に示すように、筐体１０内に上昇気流（Ｙ軸正方向への気体の流れ）を生成し、検知領域ＤＡに粒子２を含む気体を誘導する。加熱装置６０は、例えば、低コストのヒータ抵抗である。なお、図４では、太点線の矢印で気流の一例を示している。
【００４２】
回路基板７０は、センサ部２００の制御回路が形成されたプリント配線基板である。制御回路は、例えば、投光系１２０による光の出力、受光系１３０によって受光した光信号に基づく電気信号の処理、加熱装置６０による気体の加熱などの処理を制御する。例えば、制御回路は、粒子２の有無、大きさ及び個数などを検出し、コネクタ８０を介して外部に検出結果を出力する。
【００４３】
回路基板７０は、例えば、矩形の平板であり、一方の主面（表面）に筐体１０が固定されている。他方の主面（裏面）には、制御回路を構成する１つ又は複数の回路素子（回路部品）が実装されている。なお、投光素子１２１、受光素子１３１及び加熱装置６０（ヒータ抵抗）の各々の電極端子は、筐体１０の背面カバー１１０及び回路基板７０を貫通し、回路基板７０の裏面にはんだ付けされている。これにより、投光素子１２１、受光素子１３１及び加熱装置６０（ヒータ抵抗）の各々は、制御回路に電気的に接続されて、制御回路によって動作が制御される。
【００４４】
複数の回路素子は、例えば、抵抗、コンデンサ、コイル、ダイオード又はトランジスタなどを含む。複数の回路素子の１つである電解コンデンサ７１は、図４に示すように、回路基板７０の表面に設けられ、筐体１０内に配置されている。
【００４５】
このように、筐体１０内の空間を有効に利用することで、回路基板７０の裏面側に配置する回路素子を少なくすることができる。これにより、回路基板７０の裏面側の回路素子用の空間を小さくすることができ、第一シールドカバー９０を小さくすることができる。したがって、センサ部２００を小型化することができる。
【００４６】
コネクタ８０は、センサ部２００の制御回路（回路基板７０）と、外部の制御回路又は電源回路とを接続するためのコネクタである。コネクタ８０は、回路基板７０の裏面に実装されている。例えば、センサ部２００は、コネクタ８０を介して外部から電力が供給されて動作する。
【００４７】
第一シールドカバー９０は、外部ノイズから制御回路を保護するために設けられた金属製のカバーである。第一シールドカバー９０は、回路基板７０の裏面側に取り付けられている。
【００４８】
第二シールドカバー９１は、外部ノイズから受光系１３０の受光素子１３１を保護するために設けられた金属製のカバーである。第二シールドカバー９１は、筐体１０の前面、上面及び左側面の一部であって、内部に受光素子１３１が配置された部分を覆っている。
【００４９】
なお、第一シールドカバー９０及び第二シールドカバー９１は、例えば、ブリキなどから構成される。
【００５０】
以下では、センサ部２００が備える各構成要素について、詳細に説明する。
【００５１】
［１−２．センサ部の筐体の構成］
筐体１０は、センサ部２００の本体部であり、内部には、検知領域ＤＡ、光学系２０、ホコリ抑制壁３０、第一光トラップ４０、第二光トラップ５０及び加熱装置６０が設けられている。本実施の形態では、筐体１０は、前面カバー１００と、背面カバー１１０との２つの部材によって構成される。
【００５２】
筐体１０は、遮光性を有する。例えば、筐体１０は、迷光を吸収させるように、少なくとも内面が黒色である。具体的には、筐体１０の内面は、光の吸収率が高く、かつ、光を鏡面反射する。なお、筐体１０の内面における反射は、鏡面反射でなくてもよく、光の一部が散乱反射されてもよい。
【００５３】
ここで、迷光は、粒子２による散乱光以外の光であり、具体的には、投光系１２０が出力する光のうち検知領域ＤＡにおいて粒子２に散乱されることなく、筐体１０内を進行する光である。また、迷光は、筐体１０の外部から流入口１０１又は流出口１０２を介して筐体１０の内部に進入した外光も含む。
【００５４】
筐体１０は、例えば、ＡＢＳ樹脂などの樹脂材料を用いた射出成形により形成される。具体的には、前面カバー１００及び背面カバー１１０の各々が、樹脂材料を用いた射出成形により形成された後、互いに組み合わされることで筐体１０を構成する。このとき、例えば、黒色の顔料又は染料を添加した樹脂材料を用いることで、筐体１０の内面を黒色面にすることができる。あるいは、射出成形後に内面に黒色塗料を塗布することで、筐体１０の内面を黒色面にすることができる。また、筐体１０の内面にシボ加工などの表面処理を行うことによって、迷光を吸収させてもよい。
【００５５】
筐体１０は、図２に示すように、扁平な多面体であり、前面部１０ａと、背面部１０ｂと、下面部１０ｃと、上面部１０ｄと、左側面部１０ｅと、右側面部１０ｆとを有する。具体的には、筐体１０は、矩形の４つの角のうち右上及び左上の角が斜めになった略七角形を底面とする角柱形状である。
【００５６】
前面部１０ａ、背面部１０ｂ、下面部１０ｃ、上面部１０ｄ、左側面部１０ｅ及び右側面部１０ｆはそれぞれ、筐体１０の前面（正面）、背面、下面、上面、左側面及び右側面を形成する。前面部１０ａは、前面カバー１００の底部であり、背面部１０ｂは、背面カバー１１０の底部である。下面部１０ｃ、上面部１０ｄ、左側面部１０ｅ及び右側面部１０ｆは、前面カバー１００の側周部と背面カバー１１０の側周部とが組み合わされて形成される。
【００５７】
前面部１０ａ及び背面部１０ｂは、互いに略同じ形状であり、具体的には、略七角形の平板部である。下面部１０ｃは、前面部１０ａ及び背面部１０ｂに垂直に設けられた略矩形の平板部である。上面部１０ｄ、左側面部１０ｅ及び右側面部１０ｆは、前面部１０ａ及び背面部１０ｂに垂直に設けられ、平面視において内側に向かって屈曲した板状部である。
【００５８】
なお、筐体１０の形状は一例であって、これに限らない。例えば、筐体１０は、底面（前面部１０ａ及び背面部１０ｂ）が矩形の直方体でもよく、あるいは、底面が円形の円柱でもよい。
【００５９】
筐体１０の側面には、図２〜図４に示すように、流入口１０１と、流出口１０２とが設けられている。具体的には、筐体１０の前面部１０ａに、流入口１０１と、流出口１０２とが設けられている。
【００６０】
流入口１０１は、筐体１０の側面（前面部１０ａ）に設けられた所定形状の開口であり、当該開口を介して、粒子２を含む気体が筐体１０の内部に流入する。流入口１０１は、例えば、１２ｍｍ×５．５ｍｍの略矩形の開口であるが、流入口１０１の形状はこれに限らない。例えば、流入口１０１は、円形又は楕円形などの開口でもよい。
【００６１】
本実施の形態では、流入口１０１は、図４に示すように、検知領域ＤＡの直下方向には設けられておらず、前面カバー１００の下部の隅に設けられている。これにより、流入口１０１から進入する外光が検知領域ＤＡに照射されにくくすることができる。
【００６２】
流出口１０２は、筐体１０の側面に設けられた所定形状の開口であり、当該開口を介して、粒子２を含む気体が筐体１０の外部に流出する。流出口１０２は、例えば、１２ｍｍ×５ｍｍの略矩形の開口であるが、流出口１０２の形状はこれに限らない。例えば、流出口１０２は、円形又は楕円形などの開口でもよい。流出口１０２の大きさは、例えば、流入口１０１と同じである。
【００６３】
本実施の形態では、流出口１０２は、図４に示すように、検知領域ＤＡの直上方向であって、前面カバー１００の上部の中央に設けられている。これにより、加熱装置６０によって生成された気流をスムーズに流出口１０２から外部に放出することができる。
【００６４】
なお、流入口１０１及び流出口１０２は、筐体１０の前面部１０ａに設けたが、これに限らない。例えば、流入口１０１は、筐体１０の背面部１０ｂ、下面部１０ｃ、左側面部１０ｅ又は右側面部１０ｆに設けてもよい。また、流出口１０２は、筐体１０の背面部１０ｂ、上面部１０ｄ、左側面部１０ｅ又は右側面部１０ｆに設けてもよい。
【００６５】
筐体１０には、ホコリ抑制壁３０、第一光トラップ４０及び第二光トラップ５０の各々を構成するための内部構造（例えば、所定形状のリブなど）が設けられている。具体的には、図３に示すように、前面カバー１００は、内面から立設した第一壁１０３を有する。また、図４に示すように、背面カバー１１０は、内面から立設した第二壁１１１を有する。第一壁１０３と第二壁１１１とは、ホコリが筐体の内部に侵入するのを低減するホコリ抑制壁３０を形成する。
【００６６】
背面カバー１１０は、さらに、内面から立設した第一光反射壁１１２、第二光反射壁１１３、第三光反射壁１１４及び複数の楔形突出部１１５を有する。第一光反射壁１１２は、第二壁１１１とともに第一光トラップ４０を形成する。第二光反射壁１１３、第三光反射壁１１４及び複数の楔形突出部１１５は、第二光トラップ５０を形成する。
【００６７】
第一光反射壁１１２は、屈曲した壁である。具体的には、図４に示すように、第一光反射壁１１２は、平板状の第一反射部１１２ａと、平板状の第二反射部１１２ｂとを有する。第三光反射壁１１４は、平板状の第一反射部１１４ａと、平板状の第二反射部１１４ｂとを有する。
【００６８】
前面カバー１００は、図４に示すように、係止部１０６及び係止部１０７を有する。また、背面カバー１１０は、図４に示すように、被係止部１１８及び被係止部１１９を有する。前面カバー１００と背面カバー１１０とを組み合わせることで、係止部１０６が被係止部１１８に係止し、係止部１０７が被係止部１１９に係止する。これにより、前面カバー１００と背面カバー１１０とは固定される。なお、係止部１０６及び係止部１０７並びに被係止部１１８及び被係止部１１９の設ける位置、個数及び形状などは、いかなるものでもよい。
【００６９】
筐体１０の前面部１０ａには、さらに、掃除窓１０８が設けられている。具体的には、掃除窓１０８は、前面カバー１００の中央部に設けられた台形状の貫通孔である。掃除窓１０８は、投光レンズ１２２、受光レンズ１３２及び筐体１０の内部に付着した汚れ又はホコリを取り除くために設けられている。例えば、掃除窓１０８から綿棒などを筐体１０の内部に挿入することで、内部の掃除を行うことができる。掃除窓１０８は、センサ部２００を動作させる際には、掃除窓１０８を介して外光が検知領域ＤＡに照射されないように、図示しないカバー部材によって蓋がされる。
【００７０】
本実施の形態では、第一壁１０３、係止部１０６及び係止部１０７は、前面カバー１００と一体に形成されている。また、第二壁１１１、第一光反射壁１１２、第二光反射壁１１３、第三光反射壁１１４、複数の楔形突出部１１５、被係止部１１８及び被係止部１１９は、背面カバー１１０と一体に形成されている。
【００７１】
［１−３．センサ部を構成する光学系の構成］
光学系２０は、図２〜図４に示すように、筐体１０の背面カバー１１０に配置されて、前面カバー１００によって挟まれることで、筐体１０の内部に収納されている。投光系１２０と受光系１３０とは、図４に示すように、各々の光軸（光軸Ｐ及び光軸Ｑ）が交差するように配置されている。
【００７２】
投光系１２０は、検知領域ＤＡに集光するように光を出力する。投光系１２０は、投光素子１２１と、投光レンズ１２２とを備える。
【００７３】
投光素子１２１は、所定の波長の光を発する光源（発光部）であり、例えば、ＬＥＤ（Ｌｉｇｈｔ  Ｅｍｉｔｔｉｎｇ  Ｄｉｏｄｅ）又は半導体レーザなどの固体発光素子である。投光素子１２１の光軸は、投光系１２０の光軸Ｐに一致し、例えば、検知領域ＤＡを通過する。
【００７４】
投光素子１２１としては、紫外光、青色光、緑色光、赤色光又は赤外光を発する発光素子を用いることができる。この場合、投光素子１２１は、２波長以上の混合波を発するように構成されてもよい。本実施の形態では、粒子２による光の散乱強度に鑑みて、投光素子１２１として、５００ｎｍ以上かつ７００ｎｍ以下にピーク波長を持つ光（赤色光）を投光する、例えば砲弾型のＬＥＤを用いる。
【００７５】
なお、投光素子１２１の発光波長が短い程、粒径の小さな粒子を検出しやすくなる。また、投光素子１２１の発光制御方式は特に限定されるものではなく、投光素子１２１から出射する光は、ＤＣ駆動による連続光又はパルス光などでもよい。また、投光素子１２１の出力の大きさ（光の強度）は、時間的に変化させてもよい。
【００７６】
投光レンズ１２２は、投光素子１２１の前方に配置されており、投光素子１２１から出射する光（投光ビーム）を検知領域ＤＡに向けて進行させるように構成されている。つまり、投光素子１２１から出射する光は、投光レンズ１２２を介して検知領域ＤＡを通過する。検知領域ＤＡを通過する粒子２が投光素子１２１からの光を散乱させる。
【００７７】
投光レンズ１２２は、例えば、投光素子１２１から出射する光を検知領域ＤＡに集束（集光）させる集光レンズであり、例えば、ポリカーボネート（ＰＣ）などの透明樹脂レンズ又はガラスレンズである。例えば、投光レンズ１２２の焦点は、検知領域ＤＡに存在する。
【００７８】
受光系１３０は、検知領域ＤＡにおける粒子２による投光系１２０からの光の散乱光を受光する。なお、図４では、太実線の矢印で光の経路の一例を示している。受光系１３０は、受光素子１３１と、受光レンズ１３２とを備える。
【００７９】
受光素子１３１は、検知領域ＤＡにおける粒子２による投光素子１２１からの光の散乱光の少なくとも一部を受光する。受光素子１３１は、具体的には、受光した光を電気信号に変換する光電変換素子であり、本実施の形態では、投光素子１２１が投光する光に感度を有する、フォトダイオード及びフォトトランジスタの少なくとも一方を有する。なお、受光素子１３１は、例えば、フォトＩＣダイオード又は光電子増倍管などを有してもよい。受光素子１３１の光軸は、受光系１３０の光軸Ｑに一致し、例えば、検知領域ＤＡを通過する。
【００８０】
受光レンズ１３２は、受光素子１３１と検知領域ＤＡと間に配置されており、検知領域ＤＡ側から入射する光を受光素子１３１に集光するように構成されている。具体的には、受光レンズ１３２は、検知領域ＤＡにおいて粒子２による散乱光を、受光素子１３１に集束させる集光レンズであり、例えば、ＰＣなどの透明樹脂レンズ又はガラスレンズである。例えば、受光レンズ１３２の焦点は、検知領域ＤＡ及び受光素子１３１の表面に存在する。
【００８１】
［２．粒子検出センサの動作］
次に、本実施の形態に係る粒子検出センサ１の動作について、説明する。
【００８２】
［２−１．粒子検出のメカニズム］
まず、粒子検出センサ１が粒子を検出するメカニズムについて説明する。
【００８３】
制御部６００は、検知信号の取得に先だって、加熱装置６０を用いて筐体１０内の空気を加熱する。加熱装置６０により空気が加熱されると、筐体１０内に上昇気流が生じ、流入口１０１から空気が取り込まれ、流出口１０２から空気が筐体１０の外部に流出する。これに伴い、気体中の微粒子は、流入口１０１から筐体１０の内部に進入し、粒子の検知領域ＤＡを通過して、流出口１０２から筐体１０の外部に流出される。
【００８４】
投光素子１２１は、検知領域ＤＡに向けて光を出力する。投光素子１２１から出力された光は、検知領域ＤＡを通過する粒子にあたって散乱する。
【００８５】
受光系１３０に向けて散乱された散乱光（散乱光の一部）は、受光レンズ１３２を介して受光素子１３１により受光される。受光素子１３１は、受光した光の強さに応じた信号を信号変換部６１０に対して出力する。
【００８６】
第一光トラップ４０に向けて散乱された散乱光（散乱光の他の一部）は、第一光トラップ４０によりトラップされ、受光系１３０には入射しないように構成されている。
【００８７】
このような構成により、粒子検出センサ１は、気体に含まれる粒子を検出することができる。
【００８８】
［２−２．信号変換部の動作］
［２−２−１．アナログ信号処理］
信号変換部６１０は、センサ部２００から出力された電流信号に対して各種の信号処理を施すことにより、当該電流信号に基づくアナログ電圧信号を出力するアナログ信号処理を行う。ここで、各種の信号処理とは、例えば、電流（Ｉ）を電圧（Ｖ）に変換するＩ／Ｖ変換、入力された信号の所望の周波数帯域を通過させるバンドパスフィルタ処理、及び、入力された信号を増幅して出力する増幅処理である。
【００８９】
なお、信号変換部６１０は、アナログ信号処理として、ここに例示した各処理に限らず、さらに他の信号処理（例えば、ハイパスフィルタ処理、ローパスフィルタ処理、及び、減衰処理等）を行うものであってもよい。
【００９０】
ここで、信号変換部６１０の構成について、図５を用いて説明する。図５は、本実施の形態における信号変換部６１０及びこれに関連する構成を示すブロック図である。具体的には、同図には、信号変換部６１０及び処理部６２０の構成が示されている。
【００９１】
この信号変換部６１０は、図５に示すように、ＩＶ変換部２４１と、増幅部２４２とを含み、上述したアナログ信号処理を行うアナログ信号処理部２４０を有する。また、信号変換部６１０は、さらに、アナログ信号処理部２４０から出力されたアナログ電圧信号をデジタルデータに変換するＡＤ変換部２６１を含む。
【００９２】
［２−２−２．ＩＶ変換部］
ＩＶ変換部２４１は、受光素子１３１から出力された電流を電圧に変換（ＩＶ変換）する。つまり、ＩＶ変換部２４１は、センサ部２００から出力された電流信号を電圧信号に変換する。このように電圧信号に変換することにより、ＩＶ変換部２４１の後段に接続された増幅部２４２の設計が容易になる。
【００９３】
［２−２−３．増幅部］
増幅部２４２は、ＩＶ変換部２４１で変換された電圧信号の所定の帯域を増幅する。具体的には、当該電圧信号に含まれる周波数成分のうち所定の帯域の周波数成分を、他の帯域の周波数成分よりも高い増幅率で増幅する。ここで、所定の帯域とは、例えば、中心周波数をセンサ部２００の粒子流路内に流れる気体の流速ｖ１に対応する周波数ｆ１とし、帯域幅をｆｂｗとする帯域である。なお、ｆｂｗは所定の周波数であってもよいし、電圧信号のノイズフロアに応じて適宜設定される周波数であってもよい。言い換えれば、増幅部２４２は、ＩＶ変換部２４１で変換された電圧信号を増幅し、粒子に対応したパルス波形を含む電圧信号に変換する。
【００９４】
この増幅部２４２は、例えば、図５に示すように、ＩＶ変換部２４１から出力された電圧信号に含まれる周波数成分のうち所定の帯域の周波数成分を通過するバンドパスフィルタ２４２ａと、バンドパスフィルタ２４２ａを通過した周波数成分からなる信号を増幅する増幅器２４２ｂとを含む。なお、バンドパスフィルタ２４２ａ及び増幅器２４２ｂの接続順はこれに限らず、増幅器２４２ｂがバンドパスフィルタ２４２ａよりも前段に設けられていてもよい。
【００９５】
このような構成により、アナログ信号処理部２４０は、センサ部２００から出力された電流信号に基づく電圧信号を出力する。
【００９６】
［２−２−４．ＡＤ変換部］
ＡＤ変換部２６１は、増幅部２４２で増幅された電圧信号をサンプリング（標本化）及び量子化する。言い換えると、当該ＡＤ変換部２６１は、アナログ信号処理部２４０から出力されたアナログの電圧信号をＡＤ（Ａｎａｌｏｇ  ｔｏ  Ｄｉｇｉｔａｌ）変換することにより、当該電圧信号に対応する時系列のデジタルデータを生成する。つまり、ＡＤ変換部２６１は、センサ部２００から出力された電流信号に基づく時系列のデジタルデータを生成する。
【００９７】
具体的には、このＡＤ変換部２６１は、汎用ＭＰＵに予め組み込まれたＡＤ変換モジュールであり、当該汎用ＭＰＵのアナログ入力端子に入力された電圧信号をデジタルデータに変換する。例えば、ＡＤ変換部２６１は、汎用ＭＰＵにおいてアナログ入力用に設定された端子に入力された０．０〜５．０Ｖの範囲の電圧信号を、所定のサンプリング周期でサンプリングし、サンプリングされた電圧信号の電圧を１０ビットのデジタル値に変換することにより、デジタルデータを生成する。
【００９８】
なお、汎用ＭＰＵのアナログ入力端子に入力される電圧の範囲は、上記例に限らず、例えば、当該入力される電圧の最大値は、汎用ＭＰＵの外部から指定される電圧（例えば３．３Ｖ）であってもよい。また、ＡＤ変換部２６１で生成されるデジタルデータのビット数は、上記例に限らず、例えば８ビットであっても１２ビットであってもよい。
【００９９】
［２−２−５．汎用ＭＰＵの構成］
汎用ＭＰＵは、さらに、処理部６２０を有し、アナログ信号処理部２４０から出力されたアナログ電圧信号を用いて、センサ部２００の粒子流路内に流れる気体に含まれる粒子の粒径を算出する。この汎用ＭＰＵは、例えば、集積回路であるシステムＬＳＩにより実現され、以下で説明する構成毎に個別に１チップ化されてもよいし、一部又は全てを含むように１チップ化されてもよい。
【０１００】
また、汎用ＭＰＵは、システムＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１０１】
このような汎用ＭＰＵは、ＡＤ変換部２６１で生成されたデジタルデータを用いて、センサ部２００の粒子流路内に流れる気体に含まれる粒子についての種々の分析を行うことができる。この種々の分析とは、例えば、当該粒子の粒径の算出、又は、当該粒子の同定等である。
【０１０２】
［２−２−６．電源部］
なお、特に図示していないが、粒子検出センサ１は、各構成（センサ部２００、及び、信号変換部６１０等）に対して、電源を供給する電源部を備える。この電源部は、例えば、粒子検出センサ１の外部から供給された電圧を所望の電圧に変換するレギュレータ等により構成される。
【０１０３】
［２−３．処理部の動作］
処理部６２０は、時系列のデジタルデータのピークを検出し（以下、これを「ピークサーチ」と称する）、検出したピークの値は、検出粒子に対応した波高値である。
【０１０４】
また、処理部６２０は、上述したデジタルデータのピークを検出する演算（ピークサーチ）を、常時行っていてもよいし、所定の条件を満たしている場合のみに行っていてもよい。
【０１０５】
次に、本実施の形態に係る処理部６２０の動作について、説明する。
【０１０６】
図６は、実施の形態に係る処理部６２０の動作を示すフローチャートである。
【０１０７】
同図に示すように、まず、処理部６２０は、信号変換部６１０から検知信号を取得する（Ｓ１０）。信号変換部６１０は、上述したように、受光素子１３１から出力されるアナログ信号を、デジタル信号である検知信号に変換する。
【０１０８】
ここで、図７は、受光素子１３１から出力されるアナログ信号の一例を示す波形図である。図７に示す波形には、４つの粒子の散乱光の強度を示す波形が含まれている。より具体的には、当該波形には、波高値ＶＳ１を有する波形Ｗ１と、波高値ＶＳ２を有する波形Ｗ２と、波高値ＶＳ３を有する波形Ｗ３と、波高値ＶＳ４を有する波形Ｗ４とが含まれる。また、さらに、当該波形には、ノイズフロアＶＮのノイズ波形ＷＮが含まれる。
【０１０９】
このようなアナログ信号は、信号変換部６１０によってノイズ波形ＷＮの除去等のフィルタ処理及びアナログデジタル変換等を施されることにより、図８Ａ〜図８Ｃに示すような検知信号へと変換され、処理部６２０によって取得される。図８Ａ〜図８Ｃはそれぞれ、検知信号の一例を示す波形図であり、図８Ｂは図８Ａよりも粒子検出センサ１の感度が高い場合を示し、図８Ｃは図８Ａよりも粒子検出センサ１の感度が低い場合を示す。
【０１１０】
同図に示す検知信号は、上記アナログ信号がサンプリング（標本化）及び量子化された信号であり、例えば、１０ビットの時系列のデジタルデータである。なお、検知信号はステップ状の波形であるが、図８Ａ〜図８Ｃでは、当該ステップの幅が非常に小さいものとして図示している（見た目上曲線に見える）。このようにして変換された検知信号には、受光素子１３１において受光された粒子からの散乱光の強度を示す波形が含まれる。
【０１１１】
次に、処理部６２０は、検知信号の波形から複数の波高値を抽出する（Ｓ２０）。
【０１１２】
ここで波高値の抽出方法は任意である。上述したように、ここでの検知信号はデジタル信号であるため、判定対象のデジタル値を前後のデジタル値と比較し、判定対象のデジタル値が前後のデジタル値よりも大きい場合に、判定対象のデジタル値を波高値として抽出してもかまわない。なお、検知信号がアナログ信号の場合は、例えば、一定時間ごとにサンプリングし、判定対象のサンプリング値が前後のサンプリング値よりも大きい場合に、判定対象のサンプリング値を波高値として抽出してもかまわない。図７及び図８Ａ〜図８Ｃに示す例では、４つの波高値ＶＳ１〜ＶＳ４が抽出できる。
【０１１３】
次に、処理部６２０は、抽出された波高値を用いて、気体中の粒子を検出する（Ｓ３０）。具体的には、気体中の粒子を検出することにより、当該気体中の粒子の質量濃度を算出する。なお、以下では、「気体中の粒子の質量濃度」を、単に「質量濃度」と記載する場合がある。
【０１１４】
［２−４．粒子検出処理（粒子検出方法）］
以下、粒子検出処理（Ｓ３０）における詳細な処理について、説明する。図９は、実施の形態に係る粒子検出処理を示すフローチャートである。
【０１１５】
まず、処理部６２０は、記憶部６５０から補正係数ｆｋ１を読み出す（Ｓ３１）。
【０１１６】
その後、処理部６２０は、検知信号の波形から抽出された複数の波高値と、複数の波高値区分（後述する）を区分けする１以上の閾値（第一閾値）との相対関係を補正する（Ｓ３２）。本実施の形態において、処理部６２０は、記憶部６５０から補正係数ｆｋ１を読み出すことにより当該相対関係を補正する。この処理部６２０による補正処理の詳細については、後述する。
【０１１７】
次に、処理部６２０は、補正後の相対関係を用いて、後述する波高値区分各々について、抽出された波高値の個数を計数する（Ｓ３３）。つまり、補正後の相対関係を用いて、複数の波高値の各々について、１以上（本実施の形態では４つ）の閾値により区分けされた複数の波高値区分のうちのいずれの波高値区分に属するかを判定することにより、波高値区分各々について波高値の個数を計数する。
【０１１８】
例えば、処理部６２０は、波高値が抽出される度に、補正後の相対関係を用いて、抽出された波高値が複数の波高値区分のうちのどの波高値区分に属するかを判定する。その後、処理部６２０は、波高値区分各々の波高値数を計数する。
【０１１９】
［２−４−１．波高値区分の設定］
ここで、波高値区分の設定について、説明する。
【０１２０】
複数の波高値区分は、１以上の閾値（第一閾値）に応じて定められている。本実施の形態では、図８Ａに示すように、４つの閾値Ｖｔ１〜Ｖｔ４により区分けされた４つの波高値区分ＢＳ１〜ＢＳ４が設定されている。つまり、閾値Ｖｔｉ（ｉ＝１〜４）は、隣り合う波高値区分の境界を規定している。
【０１２１】
ここで、検知信号から抽出される波高値と検知領域ＤＡに位置する粒子の粒径とは、所定の相関関係を有する。
【０１２２】
図１０は、粒径ごとの波高値と距離との関係の一例を示す図である。図１０では、説明のため、５．０μｍ、２．５μｍ、１．０μｍ及び０．５μｍの粒子における波高値と距離との関係を示している。波高値は、散乱光の強度に対応している。距離は、粒子が検知領域ＤＡを通過する際に検知領域ＤＡの中心、つまり、投光素子１２１から出力された光が集光される位置に最も近づいたときの距離である。距離が０になるのは、粒子が検知領域ＤＡの中心を通過する場合である。
【０１２３】
一般的に、図１０に示すように、距離が同じである場合、粒径が大きくなるほど、波高値は大きくなる。したがって、粒径が大きくなるほど、波高値の最大値は大きくなる。さらに、図１０に示すように、粒径が同じである場合、検知領域ＤＡの中心からの距離が小さいほど、受光強度は大きくなる。
【０１２４】
しかしながら、図１０に示すように、例えば、検知領域ＤＡの中心から距離ｒ１の位置を通過する５．０μｍの粒径を有する粒子に対応する波高値は、検知領域ＤＡの中心を通過する２．５μｍの粒径を有する粒子の波高値よりも小さい。つまり、信号強度から、直接的に粒径ごとの粒子数を導き出すのは困難である。
【０１２５】
ただし、複数の波高値区分ＢＳ１〜ＢＳ４の各々において１以上の閾値（第二閾値）により区分けされた複数の粒径区分（後述する）の各々が含まれる含有比率は、図１０に示す感度分布を用いて予め求めることができる。
【０１２６】
そこで、本実施の形態において、処理部６２０は、複数の波高値区分ＢＳ１〜ＢＳ４の各々について判定された波高値の個数、及び、複数の波高値区分ＢＳ１〜ＢＳ４の各々において複数の粒径区分ＢＰｉの各々が含まれる含有比率を用いて、複数の粒径区分の各々における粒子数を推定する。なお、含有比率の詳細については、後述する。
【０１２７】
本実施の形態では、閾値Ｖｔｉは、波高値区分ＢＳｉに、粒径区分ＢＰｉに対応する粒径以上の粒径を有する粒子が含まれ、粒径区分ＢＰｉに対応する粒径よりも小さい粒径を有する粒子が含まれないように設定される。閾値Ｖｔｉは、例えば、粒径区分ＢＰｉに属する粒子のうち、最も小さい粒子に対応する検知信号の波高値の最大値に設定される。
【０１２８】
具体的には、本実施の形態では、検出された粒子を、５．０μｍ以上、２．５μｍ〜５．０μｍ、１．０〜２．５μｍ、及び、０．５〜１．０μｍの４つの粒径区分ＢＰｉに区分する。閾値Ｖｔ１は、波高値区分ＢＳ１に、５．０μｍ以上の粒径の粒子が含まれ、他の粒径の粒子が含まれないように設定される。閾値Ｖｔ１は、例えば、粒径が５．０μｍの粒子における検知信号の最大値に設定される。閾値Ｖｔ２は、波高値区分ＢＳ２に、粒径が２．５μｍ以上の粒子が含まれ、２．５μｍより小さい粒子が含まれないように設定される。閾値Ｖｔ２は、例えば、粒径が２．５μｍの粒子における検知信号の最大値に設定される。閾値Ｖｔ３は、波高値区分ＢＳ３に、粒径が１．０μｍ以上の粒子が含まれ、１．０μｍより小さい粒子が含まれないように設定される。閾値Ｖｔ３は、例えば、粒径が１．０μｍの粒子における検知信号の最大値に設定される。閾値Ｖｔ４は、波高値区分ＢＳ４に、粒径が０．５μｍ以上の粒子が含まれるように設定される。
【０１２９】
このように設定された波高値区分を用いて、処理部６２０は、検知信号の波形から抽出された複数の波高値の各々について、１以上（本実施の形態では４つ）の閾値Ｖｔ１〜Ｖｔ４により区分けされた複数の波高値区分ＢＳ１〜ＢＳ４のうちのいずれの波高値区分に属するかを判定する。
【０１３０】
［２−４−２．補正］
ここで、信号変換部６１０で生成されたデジタルデータである検知信号は、粒子検出センサ１の感度に依存した値である。
【０１３１】
つまり、同一粒径の粒子が導入された場合であっても、粒子検出センサ１の感度が高い場合には、図８Ｂに示すように、検知信号の波形が比較的大きくなる。一方、粒子検出センサ１の感度が低い場合には、検知信号の波形が比較的小さくなる。つまり、検知信号の波形の大きさは、例えば、光学系２０の設計、受光素子１３１の受光感度、並びに、センサ部２００及び信号変換部６１０が有する電子部品の感度等に応じた粒子検出センサ１の感度に依存する。
【０１３２】
したがって、粒子検出センサ１の感度によらず同一の閾値Ｖｔ１〜Ｖｔ４を用いて粒子の粒径を算出した場合、次のような問題が生じる虞がある。
【０１３３】
具体的には、粒子検出センサ１の感度が高い場合、検知信号の波形から抽出された複数の波高値ＶＳ１〜ＶＳ４が、本来の波高値区分よりも大きい波高値区分に属すると誤判定される虞がある。一方、粒子検出センサ１の感度が低い場合、当該波高値ＶＳ１〜ＶＳ４が、本来の波高値区分よりも小さい波高値区分に属すると誤判定される虞がある。
【０１３４】
このような誤判定が生じた場合、気体中の粒子の質量濃度を精度良く算出することが困難になる。
【０１３５】
そこで、本実施の形態では、上述したように、検知信号の波形から抽出された複数の波高値と、複数の波高値区分ＢＳ１〜ＢＳ４を区分けする閾値との相対関係を補正する。具体的には、本実施の形態では、記憶部６５０から補正係数ｆｋ１を読み出して閾値を補正することにより、上記の相対関係を補正する。
【０１３６】
［２−４−２−１．補正係数の初期設定］
まず、記憶部６５０への補正係数ｆｋ１の初期設定処理について、説明する。この補正係数ｆｋ１は、例えば、粒子検出センサ１の製造工程において書き込まれている。
【０１３７】
図１１は、本実施の形態に係る粒子検出センサ１の製造工程における、記憶部６５０への補正係数の初期設定処理について説明するためのブロック図である。
【０１３８】
同図に示すように、製造工程において、記憶部６５０への補正係数ｆｋ１の書き込みは、信号変換部６１０及び記憶部６５０に接続された書き込み部７００によって実行される。
【０１３９】
書き込み部７００は、検知領域ＤＡに所定の粒径を有する基準粒子が導入された場合に信号変換部６１０から出力された検知信号に基づいて、粒子検出センサ１の感度に応じた補正係数ｆｋ１を算出し、算出した補正係数ｆｋ１を記憶部６５０に書き込む。
【０１４０】
以下、書き込み部７００による補正係数ｆｋ１の初期設定処理について、図１２及び図１３を用いて説明する。図１２は、製造工程において書き込み部７００により実行される補正係数ｆｋ１の初期設定処理を示すフローチャートである。図１３は、書き込み部７００によって算出された補正係数ｆｋ１について説明するためのグラフである。
【０１４１】
まず、書き込み部７００は、センサ部２００の筐体１０内に、所定の粒径を有する基準粒子を流入させる（Ｓ５０）。つまり、検知領域ＤＡに、当該基準粒子を導入する。なお、基準粒子の導入は書き込み部７００によって実行されなくてもよく、例えば、基準粒子を含む気体で満たされたチャンバ内にセンサ部２００を配置することによって実現されてもよい。
【０１４２】
次に、書き込み部７００は、基準粒子が導入された状態において信号変換部６１０から出力された検知信号を取得し（Ｓ１０）、当該検知信号の波形から波高値を抽出する（Ｓ２０）。その後、書き込み部７００は、抽出した波高値に基づいて補正係数ｆｋ１を算出（Ｓ６０）し、算出した補正係数ｆｋ１を記憶部６５０に書き込む（Ｓ７０）。
【０１４３】
単一粒子径である基準粒子として、ＰＳＬ（ポリスチレンラテックス）の標準粒子を使用してもよい。また、粒子径に分布がある基準粒子として、タバコによる発煙燃焼で発生する煙粒子または綿灯芯による発煙燃焼で発生する煙粒子を使用してもよい。
【０１４４】
例えば、書き込み部７００は、抽出した波高値とノイズフロアＶＮとの差分を、理想的な波高値ＰＩとノイズフロアＶＮとの差分で除した値を補正係数ｆｋ１として算出する。
【０１４５】
つまり、書き込み部７００は、検知信号が図１３の第１検知波形の場合、すなわち、波高値抽出処理（上記のＳ２０）で取得された波高値がＰ１の場合、（Ｐ１―ＶＮ）／（ＰＩ―ＶＮ）を補正係数ｆｋ１として算出する。これにより、検知信号が比較的小さい場合、すなわち感度が低い場合には、補正係数ｆｋ１として１より小さい値が算出される。
【０１４６】
同様に、例えば、書き込み部７００は、検知信号が図１３の第２検知波形の場合、すなわち、波高値抽出処理（上記のＳ２０）で取得されたピーク値がＰ２の場合、（Ｐ２―ＶＮ）／（ＰＩ―ＶＮ）を補正係数ｆｋ１として算出する。これにより、検知信号が比較的大きい場合、すなわち感度が高い場合には、補正係数ｆｋ１として１より大きい値が算出される。
【０１４７】
ここで、検知信号はセンサ部２００から出力される電流に対応し、当該電流はセンサ部２００の感度に相当する。よって、理想的な波高値ＰＩ及び実際の波高値は、当該センサ部２００の感度の基準となる基準感度及び当該センサ部２００の実際の感度に相当する。
【０１４８】
したがって、書き込み部７００は、センサ部２００から出力された電流が比較的小さい場合、つまり感度が低い場合には、１より小さい値を補正係数ｆｋ１として算出する。一方、センサ部２００から出力された電流が比較的大きい場合、つまり感度が高い場合には、１より大きい値を補正係数ｆｋ１として算出する。
【０１４９】
このように、書き込み部７００は、基準感度に対するセンサ部２００の感度に応じた補正係数ｆｋ１を記憶部６５０に書き込む。
【０１５０】
なお、理想的な波高値は、筐体１０に基準粒子を導入した場合に限らず、例えば、粒子検出センサ１の設計値によって定められてもよい。
【０１５１】
また、補正係数ｆｋ１は、複数個のセンサ部２００の各々において、筐体１０に基準粒子を導入した場合に抽出された波高値の平均値又は中央値等であってもよい。
【０１５２】
以上説明したような初期設定処理により、記憶部６５０には、補正係数ｆｋ１が書き込まれる。したがって、このように算出された補正係数ｆｋ１を用いて上述した相関関係を補正することにより、気体中の粒子の質量濃度を精度良く算出することができる。
【０１５３】
［２−４−２−２．補正係数を用いた補正処理］
次に、上述の補正処理（Ｓ３２）について、具体的に説明する。
【０１５４】
上述したように、処理部６２０は、記憶部６５０から読み出した補正係数ｆｋ１を用いて、閾値Ｖｔ１〜Ｖｔ４を補正する。
【０１５５】
これにより、例えば、図８Ｂに示すように感度が高い粒子検出センサ１では、補正後の閾値Ｖｔ１１〜Ｖｔ１４の各々は、対応する補正前の閾値Ｖｔ１〜Ｖｔ４よりも大きくなる。よって、粒子検出センサ１の感度が高い場合に、検知信号の波形から抽出された複数の波高値ＶＳ１〜ＶＳ４が本来の波高値区分よりも大きい波高値区分に属すると誤判定される虞を低減できる。
【０１５６】
一方、例えば、図８Ｃに示すように感度が低い粒子検出センサ１では、補正後の閾値Ｖｔ２１〜Ｖｔ２４の各々は、対応する補正前の閾値Ｖｔ１〜Ｖｔ４よりも小さくなる。よって、粒子検出センサ１の感度が低い場合に、検知信号の波形から抽出された複数の波高値ＶＳ１〜ＶＳ４が本来の波高値区分よりも小さい波高値区分に属すると誤判定される虞を低減できる。
【０１５７】
すなわち、検出信号から抽出された波高値が複数の波高値区分ＢＳ１〜ＢＳ４のうちのどの波高値区分に属するかを、粒子検出センサ１の感度によらず高精度に判定できる。
【０１５８】
ここで、処理部６２０は、複数の波高値区分ＢＳ１〜ＢＳ４の各々における上限と下限との差の比率が当該複数の波高値区分ＢＳ１〜ＢＳ４の間で維持されるように閾値Ｖｔ１〜Ｖｔ４の各々を補正することにより、当該閾値Ｖｔ１〜Ｖｔ４と複数の波高値ＶＳ１〜ＶＳ４との相対関係を補正する。
【０１５９】
また、具体的には、処理部６２０は、検知信号における任意のレベル（本実施の形態ではノイズフロアＶＮ）を基準として閾値Ｖｔ１〜Ｖｔ４の各々を補正する。
【０１６０】
例えば、上述したように、検知信号の波高値とノイズフロアＶＮとの差分ＶＳαを信号変換部６１０から出力された理想的な検知信号の波高値とノイズフロアＶＮとの差分ＶＳβで除した値ＶＳα／ＶＳβを補正係数ｆｋ１とする場合、処理部６２０は、閾値Ｖｔ１〜Ｖｔ４の各々とノイズフロアＶＮとの差分に対してｆｋ１を乗算し、乗算結果に対してノイズフロアＶＮを加算する。
【０１６１】
これにより、補正後の閾値Ｖｔ１１〜Ｖｔ１４の各々は、ノイズフロアＶＮを基準電位として補正前の閾値Ｖｔ１〜Ｖｔ４の各々が補正された値となる。また、補正の前後で、複数の波高値区分ＢＳ１〜ＢＳ４の各々における上限と下限との差の比率が当該複数の波高値区分ＢＳ１〜ＢＳ４の間で維持される。
【０１６２】
なお、ここでは感度が大きい場合の補正後の閾値Ｖｔ１１〜Ｖｔ１４の各々を算出する処理について説明したが、感度が小さい場合の補正後の閾値Ｖｔ２１〜Ｖｔ２４の各々の算出も、同様である。
【０１６３】
このように、処理部６２０は、検知領域ＤＡに所定の粒径を有する基準粒子が導入された場合における受光素子１３１からの出力に基づいて、閾値Ｖｔ１〜Ｖｔ４と複数の波高値ＶＳ１〜ＶＳ４との相対関係を補正する。
【０１６４】
［２−４−３．波高値計数処理］
次に、処理部６２０による波高値区分の判定及び計数処理について、説明する。処理部６２０は、上述のように補正された閾値Ｖｔ１〜Ｖｔ４によって区分けされる波高値区分を用いて、検知信号の波形から抽出された複数の波高値の各々について、いずれの波高値区分に属するかを判定する。
【０１６５】
波高値区分の判定は、判定対象の波高値と、隣接する波高値区分の境界の値として設定された補正後の複数の閾値とを比較することにより行われる。
【０１６６】
図１４は、本実施の形態に係る波高値の波高値区分の判定及び波高値区分ごとの波高値数の計数の処理手順の一例を示すフローチャートである。処理部６２０は、まず、各変数の初期化を行う（Ｓ３０１）。具体的には、処理部６２０は、ｉを１（閾値の添え字の最小値）に設定する。さらに、処理部６２０は、波高値区分ごとの波高値数を示す変数ＮＢＳｋ（ｋ＝０〜波高値区分の添え字の最大数、図１４では波高値区分の添え字の最大数＝４）を０に設定する。処理部６２０は、波高値（極大値）ＷＭと補正後の閾値Ｖｔｉとを比較する（Ｓ３０２）。
【０１６７】
処理部６２０は、波高値ＷＭが閾値Ｖｔｉよりも大きいと判定した場合は（Ｓ３０２のＹｅｓ）、波高値ＷＭが波高値区分ＢＳ（ｉ−１）に属すると判定し、ＮＢＳ（ｉ−１）をインクリメントする（Ｓ３０３）。
【０１６８】
処理部６２０は、波高値ＷＭが補正後の閾値Ｖｔｉ以下であると判定した場合は（Ｓ３０２のＮｏ）、波高値ＷＭと全ての補正後の閾値Ｖｔｉとの比較が終了したか否かを判定する（Ｓ３０４）。ここでは、処理部６２０は、ｉ＝４のときに、波高値ＷＭと全ての補正後の閾値Ｖｔｉとの比較が終了したと判定する。処理部６２０は、比較していない閾値がある場合は（Ｓ３０４のＮｏ）、ｉをインクリメントして（Ｓ３０５）、ステップＳ３０２に移行する。
【０１６９】
処理部６２０は、波高値ＷＭと全ての補正後の閾値Ｖｔｉとの比較が終了したと判定した場合は（Ｓ３０４のＹｅｓ）、波高値ＷＭが波高値区分ＢＳ４に属すると判定し、波高値区分ＢＳ４の波高値数ＮＢＳ４をインクリメントする（Ｓ３０６）。
【０１７０】
上述した処理を実行することにより、図１４において、波高値ＶＳ１は、波高値区分ＢＳ１に属すると判定される。波高値ＶＳ２は、波高値区分ＢＳ２に属すると判定される。波高値ＶＳ３は、波高値区分ＢＳ３に属すると判定される。波高値ＶＳ４は、波高値区分ＢＳＮに属すると判定される。
【０１７１】
全ての波高値について、ステップＳ３０１〜３０６を実行する。当該処理が終了した時点におけるＮＢＳ１〜ＮＢＳ４、ＮＢＳＮの値が、波高値区分ＢＳ１〜ＢＳ４、ＢＳＮにおける波高値数となる。
【０１７２】
波高値計数処理（Ｓ３３）は、質量濃度換算をする時間間隔で繰り返し行われる。また、ある時間間隔で処理された波高値数を平均化処理してもよい。
【０１７３】
ここで、検知領域ＤＡを通過する粒子２の粒径及び個数は、経過時間に応じて変動する場合がある。このため、質量濃度換算をする時間間隔に応じて、各波高値区分ＢＳ１〜ＢＳ４、ＢＳＮにおける波高値数が変動する虞がある。特に、当該時間間隔が短い場合、各波高値区分ＢＳ１〜ＢＳ４、ＢＳＮにおける波高値数がばらつきやすくなるため、算出される質量濃度の誤差が大きくなる虞がある。
【０１７４】
そこで、ある時間間隔で処理された波高値数を平均化処理することにより、質量濃度換算をする時間間隔が短い場合であっても、高精度に質量濃度を推定することができる。
【０１７５】
［２−４−４．粒子数推定処理］
処理部６２０は、図９に示すように、波高値計数処理（Ｓ３３）の後、粒径区分各々の粒子数を推定する（Ｓ３４）。具体的には、処理部６２０は、複数の波高値区分ＢＳ１〜ＢＳ４、ＢＳＮの各々について判定された波高値の個数、及び、複数の波高値区分ＢＳ１〜ＢＳ４、ＢＳＮの各々において１以上（本実施の形態では４つ）の閾値（第二閾値）により区分けされた複数の粒径区分ＢＰｉが含まれる含有比率を用いて、当該複数の粒径区分ＢＰｉの各々における粒子数を推定する。
【０１７６】
図１５は、波高値区分ＢＳ１〜ＢＳ４各々の波高値数の一例を示す図である。なお、同図には、各波高値区分ＢＳ１〜ＢＳ４に含まれる、各粒径区分ＢＰ１〜ＢＰ４に対応する波高値数も示されている。
【０１７７】
同図に示すように、例えば、波高値区分ＢＳ４には、粒径区分ＢＰ４以上の粒径を有する粒子の波高値が含まれる。つまり、波高値区分ＢＳｉには、粒径区分ＢＰｉ以上の粒径を有する粒子の波高値が含まれる。
【０１７８】
ただし、例えば、粒径区分ＢＰ２の場合、粒子数ＮＢＰ２の波高値区分ＢＳ２〜ＢＳ４の間での比率、つまり、係数ａ２２、ａ２３、ａ２４の比率は、予め求めることができる。これは、図１０に示すように、粒子が通過する位置に応じて信号強度が決まること、及び、十分な数の粒子を検出した場合、粒子が検知領域ＤＡを通過する位置は一様になると考えられるためである。
【０１７９】
同様に、粒径区分ＢＰｉの各々について、係数ａｉｉ〜ａｉ（ｉｍａｘ）を一意的に求めることができる。ｉｍａｘは、処理部６２０が複数の粒径区分の各々における粒子数を測定する際に用いる波高値区分数であり、本実施の形態では４である。
【０１８０】
これにより、複数の波高値区分ＢＳ１〜ＢＳ４の各々において複数の粒径区分ＢＰ１〜ＢＰ４の各々が含まれる含有比率が求められる。つまり、複数の波高値区分ＢＳ１〜ＢＳ４のうち一の波高値区分（例えば、波高値区分ＢＳ３）における含有比率は、当該一の波高値区分について判定された波高値の個数（ここでは、ＮＢＳ３）と、当該一の波高値区分より大きい他の波高値区分（ここでは、波高値区分ＢＳ１、ＢＳ２）の各々について判定された波高値の個数（ここでは、ＮＢＳ２）、及び、検知領域ＤＡ内の位置に応じた信号強度の変化とに基づく値である。
【０１８１】
言い換えると、一の波高値区分ＢＳｉに属すると判定された波高値数ＮＢＳｉには、一の粒径区分ＢＰｉに対応する粒径よりも大きい粒径区分に対応する粒径の粒子によって出現する波高値が含まれる。
【０１８２】
そこで、処理部６２０は、複数の波高値区分のうち一の波高値区分（例えば、波高値区分ＢＳ３）に属すると判定された波高値の個数（ここでは、ＮＢＳ３）と、上述した検知領域ＤＡ内の位置に応じた信号強度の変化（図１０参照）とを用いて、当該個数のうち、複数の粒径区分のうち一の粒径区分（ここでは、粒径区分ＢＰ３）の粒子に対応する波高値の個数（ここでは、ａ３３×ＮＢＰ３）と、当該一の粒径区分より大きい他の粒径区分（ここでは、粒径区分ＢＰ２）の粒子に対応する波高値の個数（ａ２３×ＮＢＰ２）とを求める。
【０１８３】
処理部６２０は、複数の波高値区分（ＢＳ１〜ＢＳ４）の各々について、このような手順を行うことにより、複数の粒径区分（ＢＰ１〜ＢＰ４）の各々における粒子数を、図１６に示すように推定する。
【０１８４】
図１６は、上述した方法で推定された粒径区分ＢＰｉ各々の粒子数ＮＢＰｉの一例を示す図である。
【０１８５】
このように、処理部６２０は、複数の波高値区分ＢＳ１〜ＢＳ４の各々について判定された波高値の個数、及び、複数の波高値区分ＢＳ１〜ＢＳ４の各々における複数の粒径区分ＢＰ１〜ＢＰ４の各々が含まれる含有比率を用いて、当該複数の粒径区分ＢＰ１〜ＢＰ４の各々における粒子数を推定する。
【０１８６】
なお、本実施の形態では、波高値区分の数と粒径区分の数とが同じである場合を例に説明したが、これに限るものではない。
【０１８７】
また、上記の含有比率には、任意の粒径の比率が０の場合も含まれる。例えば、本実施の形態では、波高値区分ＢＳ２における複数の粒径区分ＢＰ１〜ＢＰ４の各々が含まれる含有比率は、粒径区分ＢＰ２が含まれる比率を１とし、他の粒径区分ＢＰ１、ＢＰ３、ＢＰ４が含まれる比率を０とするが、このような含有比率も上記の含有比率の概念に含まれる。
【０１８８】
［２−４−５．質量濃度算出処理］
次に、処理部６２０は、図９に示すように、粒子数推定処理（Ｓ３４）で推定された複数の粒径区分ＢＰ１〜ＢＰ４の各々における粒子数を用いて、気体中の粒子の質量濃度を算出する（Ｓ３５）。
【０１８９】
気体中の粒子の質量濃度Ｍは、粒径区分ＢＰｉの粒子数をＮＢＰｉ、当該粒径区分ＢＰｉにおける粒子１個当たりの質量に基づく係数をｄｉとすると、以下の式１で表すことができる。
【０１９０】
【数１】
0005907498.tif 000002
【０１９１】
係数ｄｉは、例えば、粒径区分ＢＰｉに区分された粒子１個当たりの質量そのものであってもよいし、粒径区分ＢＰｉに属する粒子の質量の平均値、中央値、あるいは、平均値および中央値に粒子検出センサ１の用途に応じた重み付けを行った代表値等であってもよい。
【０１９２】
［３．効果等］
ここで、一般的に、同一粒径に対する粒子検出センサ個体間の検知信号の大小を調整する方法としては、例えば、ボリューム抵抗等を用いて、アナログ的に出力ゲインを調整する方法が挙げられる。しかしながら、このようなアナログ的な調整方法は非常に煩雑であるという問題がある。
【０１９３】
これに対して、実施の形態に係る粒子検出センサ１によれば、処理部６２０は、検知信号の波形から抽出された複数の波高値と１以上の閾値（本実施の形態では４つの閾値Ｖｔ１〜Ｖｔ４）との相対関係を補正し、補正後の相対関係を用いて、複数の波高値の各々について、閾値により区分けされた複数の波高値区分（本実施の形態では４つの波高値区分ＢＳ１〜ＢＳ４）のうちのいずれの波高値区分に属するかを判定する判定処理（本実施の形態における波高値計数処理（Ｓ３３））を実行することにより、気体中に含まれる粒子の質量濃度を算出する。
【０１９４】
これにより、アナログ的な調整をすることなく、粒子検出センサ１個体間の感度ばらつきを補正することができる。よって、例えばボリューム抵抗等を用いてアナログ的に補正する場合と比較して、部品コスト及び調整コスト等を大幅に削減できるとともに、粒子検出センサ１の感度をデジタル的に調整できるため高精度な調整が可能である。その結果、検知信号の波形から抽出された各波高値が属する波高値区分ＢＳ１〜ＢＳ４を精度良く判別することができるので、高精度に質量濃度を推定することができる。すなわち、粒子の検出精度を向上させることができる。
【０１９５】
また、例えば、処理部６２０は、さらに、判定処理によって複数の波高値区分ＢＳ１〜ＢＳ４の各々について判定された波高値の個数、及び、複数の波高値区分ＢＳ１〜ＢＳ４の各々において１以上の閾値（本実施の形態では４つの閾値０．５μｍ、１．０μｍ、２．５μｍ、５．０μｍ）により区分けされた複数の粒径区分（本実施の形態では４つの粒径区分ＢＰ１〜ＢＰ４）の各々が含まれる含有比率を用いて、複数の粒径区分の各々における粒子数を推定する推定処理（Ｓ３４）と、複数の粒径区分の各々における粒子数を用いて、質量濃度を算出する算出処理（Ｓ３５）とを実行する。
【０１９６】
このように、複数の波高値区分ＢＳ１〜ＢＳ４の各々において複数の粒径区分ＢＰ１〜ＢＰ４の各々が含まれる含有比率を用いることで、粒径区分ＢＰ１〜ＢＰ４の各々の個数濃度に基づき質量濃度を推定することができる。よって、分粒装置を用いることなく高精度に質量濃度を推定することができる。つまり、小型化かつ低コストで高精度に質量濃度を推定することができる。さらに、粒径区分ＢＰ１〜ＢＰ４の各々について質量濃度を推定できるので、粒径分布が変化した場合であっても、高精度に質量濃度を推定することができる。すなわち、粒子の検出精度を向上させることができる。
【０１９７】
また、例えば、処理部６２０は、複数の波高値区分ＢＳ１〜ＢＳ４の各々における上限と下限との差の比率が当該複数の波高値区分ＢＳ１〜ＢＳ４の間で維持されるように閾値（第一閾値）の各々を補正することにより、上記相対関係を補正する。
【０１９８】
また、例えば、処理部６２０は、判定処理において、検知信号における任意のレベルを基準として閾値（第一閾値）の各々を補正する。
【０１９９】
これにより、ノイズによる影響を抑制して、より高精度に波高値と閾値（第一閾値）との相対関係を調整することが可能になる。例えば、粒子２による波形が検知信号に出現しない場合の検知信号のレベルを上記基準のレベルとすると、センサ部２００及び信号変換部６１０等によって発生するノイズであるオフセットによる影響を低減して、上記相対関係を調整することができる。つまり、ノイズによる影響を抑制して、高精度に質量濃度を推定することができる。
【０２００】
また、例えば、処理部６２０は、判定処理において、検知領域ＤＡに所定の粒径を有する基準粒子が導入された場合における受光素子１３１からの出力に基づいて、相対関係を補正する。
【０２０１】
これにより、実測値に基づいて上記相対関係を補正するので、粒子検出センサ１個体間の感度ばらつきを高精度に補正することができる。
【０２０２】
また、例えば、粒子検出センサ１は、補正係数ｆｋ１を記憶している記憶部６５０を備え、処理部６２０は、判定処理において、記憶部６５０から補正係数ｆｋ１を読み出すことにより相対関係を補正する。
【０２０３】
これにより、上記相対関係を補正するための補正係数ｆｋ１のみを記憶部６５０に書き込めばよいため、質量濃度を算出するためのプログラムを修正して、マイコン等で実現される処理部６２０に書き込む必要がない。そのため、粒子検出センサ１個体間の感度ばらつきの調整に要する時間を大幅に短縮化できる。
【０２０４】
また、例えば、投光素子１２１は、５００ｎｍ以上かつ７００ｎｍ以下にピーク波長を持つ光を投光し、１以上の閾値（第一閾値）のいずれか１つは、１．０μｍ以下の粒径に対応する値である。
【０２０５】
このように、投光素子１２１から投光される光のピーク波長を７００ｎｍ以下とすることにより、粒径が１．０μｍ以下の小粒径の粒子２による散乱を大きくすることができる。よって、閾値間隔を小さくすることができるため、粒子検出センサ１を構成する回路のダイナミックレンジを小さくできる。したがって、デジタル的な分解能を高くできる。また、バンドギャップを利用した受光素子１３１の感度は、波長が短くなると低下するため、投光素子１２１から投光される光のピーク波長を５００ｎｍ以上とすることにより、受光素子１３１の感度を維持することができる。よって、感度を維持しつつ、回路のダイナミックレンジを小さくすることができるとともに、複数の波高値区分を高い分解能で設定できる。つまり、粒径が１．０μｍ以下の小粒径の粒子の個数を高精度に判別できるため、より高精度に質量濃度を推定することができる。
【０２０６】
また、受光素子１３１は、投光素子１２１が投光する光に感度を有する、フォトダイオード及びフォトトランジスタの少なくとも一方を有する。
【０２０７】
これにより、受光素子１３１を低コスト化できるため、低コストで粒子検出センサ１を実現できる。
【０２０８】
（変形例１）
なお、上記実施の形態では、粒子検出センサ１は、補正係数ｆｋ１を記憶している記憶部６５０を備え、処理部６２０は、判定処理において、記憶部６５０から補正係数ｆｋ１を読み出すことにより相対関係を補正するとした。しかし、処理部による相対関係の補正方法はこれに限らない。
【０２０９】
図１７は、実施の形態の変形例１に係る粒子検出センサ１Ａを備える空気清浄機の構成の一例を示すブロック図である。
【０２１０】
同図に示す粒子検出センサ１Ａは、実施の形態に係る粒子検出センサ１とほぼ同じであるが、記憶部６５０を備えずに、処理部６２０に代わり処理部６２０Ａを備える点が異なる。
【０２１１】
同図に示す処理部６２０Ａには、補正係数ｆｋ１を含むコード６２１が組み込まれており、処理部６２０Ａは、判定処理（実施の形態における波高値計数処理（Ｓ３３））において、コード６２１を実行することにより上記相対関係を補正してもよい。
【０２１２】
このような本変形例に係る粒子検出センサ１Ａによっても、実施の形態と同様の効果が奏される。つまり、検知信号から抽出された波高値が属する波高値区分を精度よく判別できるので、高精度に質量濃度を推定することができる。
【０２１３】
また、処理部６２０Ａに補正係数ｆｋ１を含むコード６２１が組み込まれていることにより、処理部６２０Ａが記憶部等の外部から補正係数ｆｋ１を読み込む必要がないため、演算処理の高速化を図ることができる。
【０２１４】
（変形例２）
次に、実施の形態の変形例２について、説明する。
【０２１５】
上記実施の形態及びその変形例１では、処理部が、波高値と第一閾値との相対関係を補正し、補正後の相対関係を用いて質量濃度を算出するとした。しかし、処理部は、当該相対関係を補正せずに質量濃度を算出してもかまわない。以下、このような処理部を備える粒子検出センサについて、説明する。
【０２１６】
図１８は、実施の形態の変形例２に係る粒子検出センサ１Ｂを備える空気清浄機１０００の構成の一例を示すブロック図である。
【０２１７】
［粒子検出センサの動作］
次に、本変形例に係る粒子検出センサ１Ｂの動作について、上記実施の形態と異なる点を中心に説明する。具体的には、本変形例では上記実施の形態と比べて処理部６２０Ｂの動作（処理）が異なる。
【０２１８】
［処理部の動作］
以下、本変形例に係る処理部６２０Ｂの動作について、上記実施の形態と異なる点を中心に説明する。
【０２１９】
上述したように、受光素子１３１から出力されるアナログ信号の波形には、波高値ＶＳ１を有する波形Ｗ１と、波高値ＶＳ２を有する波形Ｗ２と、波高値ＶＳ３を有する波形Ｗ３と、波高値ＶＳ４を有する波形Ｗ４とが含まれる。また、さらに、当該波形には、ノイズフロアＶＮのノイズ波形ＷＮが含まれる。
【０２２０】
このようなアナログ信号は、信号変換部６１０によってフィルタ処理及びアナログデジタル変換等を施されることにより、図１９に示すような検知信号へと変換され、処理部６２０Ｂによって取得される。図１９は、検知信号の一例を示す波形図である。
【０２２１】
同図に示す検知信号は、上記アナログ信号がサンプリング（標本化）及び量子化された信号であり、例えば、１０ビットの時系列のデジタルデータである。なお、検知信号はステップ状の波形であるが、図１９では、当該ステップの幅が非常に小さいものとして図示している（見た目上曲線に見える）。このようにして変換された検知信号には、受光素子１３１において受光された粒子からの散乱光の強度を示す波形が含まれる。
【０２２２】
［粒子検出処理（粒子検出方法）］
以下、本変形例の粒子検出処理における詳細な処理について、説明する。図２０は、本変形例に係る粒子検出処理（Ｓ３０Ｂ）を示すフローチャートである。
【０２２３】
同図に示す粒子検出処理（Ｓ３０Ｂ）は、上記実施の形態で説明した粒子検出処理（Ｓ３０）と比べて、補正係数ｆｋ１の読み出し処理（Ｓ３１）及び補正処理（Ｓ３２）を行わずに波高値計数処理（Ｓ３３）を行う。
【０２２４】
具体的には、粒子検出処理において、処理部６２０Ｂは、波高値区分各々について、抽出された波高値の個数を計数する（Ｓ３１）。つまり、検知信号の波形から抽出された複数の波高値の各々について、１以上（本実施の形態では４つ）の閾値（第一閾値）により区分けされた複数の波高値区分のうちのいずれの波高値区分に属するかを判定することにより、波高値区分各々について波高値の個数を計数する。
【０２２５】
例えば、処理部６２０Ｂは、波高値が抽出される度に、抽出された波高値が複数の波高値区分のうちのどの波高値区分に属するかを判定する。その後、処理部６２０Ｂは、波高値区分各々の波高値数を計数する。
【０２２６】
［波高値区分の設定］
波高値区分の設定については、上記実施の形態とほぼ同様であるため、簡略化して説明する。
【０２２７】
ここで、本変形例では、閾値Ｖｔ４は、検知信号に含まれるノイズの波高値に対応するように設定される。言い換えると、１以上（本実施の形態では４つ）の閾値（第一閾値）は、検知信号に含まれるノイズの波高値に対応する閾値Ｖｔ４（以降、「ノイズ閾値Ｖｔ４」と記載する場合あり）を含む。つまり、閾値Ｖｔ４は、波高値区分ＢＳ４に、検知信号のノイズによる結果が含まれないように設定される。
【０２２８】
このように設定された波高値区分を用いて、処理部６２０Ｂは、検知信号の波形から抽出された複数の波高値の各々について、１以上（本変形例では４つ）の閾値Ｖｔ１〜Ｖｔ４により区分けされた複数の波高値区分ＢＳ１〜ＢＳ４、ＢＳＮのうちのいずれの波高値区分に属するかを判定する。
【０２２９】
［粒子数推定処理］
粒子数推定処理については、上記実施の形態とほぼ同様であるため、簡略化して説明する。
【０２３０】
本変形例では、処理部６２０Ｂは、複数の波高値区分ＢＳ１〜ＢＳ４、ＢＳＮのうちノイズ閾値Ｖｔ４を上限として区分けされた波高値区分ＢＳＮ以外の他の波高値区分ＢＳ１〜ＢＳ４の各々について判定された波高値の個数、及び、当該他の波高値区分ＢＳ１〜ＢＳ４の各々における上記含有比率を用いて、複数の粒径区分ＢＰ１〜ＢＰ４の各々における粒子数を推定する。
【０２３１】
［質量濃度算出処理］
処理部６２０Ｂは、図２０に示すように、粒子数推定処理（Ｓ３４）で推定された複数の粒径区分ＢＰ１〜ＢＰ４の各々における粒子数を用いて、気体中の粒子の質量濃度を算出する（Ｓ３５）。
【０２３２】
図２１は、質量濃度算出処理（Ｓ３５）における具体的な処理を示すフローチャートである。
【０２３３】
同図に示すように、処理部６２０Ｂは、複数の粒径区分ＢＰ１〜ＢＰ４の各々において、粒子数と当該粒径区分における質量に基づく係数とを乗ずる（Ｓ３１１）。具体的には、処理部６２０Ｂは、当該係数として、複数の粒径区分ＢＰ１〜ＢＰ４の各々における平均質量に基づく値を乗ずる。
【０２３４】
ここで、各粒径区分ＢＰ１〜ＢＰ４における平均質量について、図２２及び図２３を用いて説明する。
【０２３５】
図２２は、本変形例に係る粒径毎の存在比率の一例を示すグラフであり、図２３は、実施の形態に係る粒子の規格化質量の一例を示すグラフである。なお、図２２には、所望の粒径範囲（本実施の形態では０．５μｍ〜２．５μｍ）における粒子の存在比率が一定の場合が示されている。また、図２３には、粒径０．１μｍの粒子の質量を質量１とした場合の規格化質量の一例が示されている。
【０２３６】
図２２に示すように、所望の粒径範囲における粒子の存在比率が一様の場合、処理部６２０Ｂは、例えば、所望の粒径範囲に含まれる粒径区分各々における粒子数に対して、当該粒径区分における平均質量に基づく値を上記係数として乗ずる。
【０２３７】
具体的には、所望の粒径範囲が０．５μｍ〜２．５μｍの場合、当該粒径範囲には、粒径範囲が１．０μｍ〜２．５μｍの粒径区分ＢＰ３と、粒径範囲が０．５μｍ〜１．０μｍの粒径区分ＢＰ４とが含まれる。そこで、処理部６２０Ｂは、粒径区分ＢＰ３について、当該粒径区分ＢＰ３の粒子数ＮＢＰ３（図１６参照）と、当該粒径区分ＢＰ３における平均質量に基づく係数とを乗算する。また、処理部６２０Ｂは、粒径区分ＢＰ４についても、同様に、当該粒径区分ＢＰ４の粒子数ＮＢＰ４（図１６参照）と、当該粒径区分における平均質量に基づく係数とを乗算する。
【０２３８】
ここで、各粒径区分における平均質量は、例えば、図２３に示す規格化質量を用いて求めることができる。具体的には、予め取得された粒径０．１μｍの粒子の質量に対して、各粒径区分における粒径の中央値に対応する規格化質量を乗ずることにより、各粒径区分における平均質量を求めることができる。
【０２３９】
このように、処理部６２０Ｂは、複数の粒径区分ＢＰ１〜ＢＰ４の各々において、粒子数と当該粒径区分における平均質量に基づく値である係数とを乗ずることにより、複数の粒径区分ＢＰ１〜ＢＰ４の各々についての質量濃度を算出する。
【０２４０】
その後、処理部６２０Ｂは、複数の粒径区分ＢＰ１〜ＢＰ４の各々について算出された質量濃度を合算する。言い換えると、複数の粒径区分ＢＰ１〜ＢＰ４の各々における、粒子数と平均質量に基づく係数との乗算結果を合算する（Ｓ３１２）。これにより、気体中の粒子の質量濃度が算出される。
【０２４１】
つまり、上記係数をｄｉとすると、気体中の粒子の質量濃度Ｍは、粒径区分ＢＰｉの粒子数ＮＢＰｉを用いて上記実施の形態に示す式１で表すことができる。
【０２４２】
ここで、処理部６２０Ｂは、所望の粒径範囲における気体中の粒子の質量濃度を算出する場合、当該所望の粒径範囲に含まれる粒径区分の各々において算出した質量濃度を合算することにより、当該粒径範囲における質量濃度を算出することができる。
【０２４３】
なお、処理部６２０Ｂは、全ての粒径区分ＢＰ１〜ＢＰ４の各々における上記乗算結果を合算することにより、当該全ての粒径区分ＢＰ１〜ＢＰ４を含む粒径範囲における気体中の粒子の質量濃度を算出してもよい。
【０２４４】
［効果等］
以上のように、実施の形態に係る粒子検出センサ１Ｂによれば、処理部６２０Ｂは、検知信号の波形から抽出された複数の波高値ＶＳ１〜ＶＳ４の各々について、１以上の閾値により区分けされた複数の波高値区分ＢＳ１〜ＢＳ４、ＢＳＮのうちのいずれの波高値区分に属するかを判定する判定処理（本変形例における波高値計数処理（Ｓ３３））と、複数の波高値区分ＢＳ１〜ＢＳ４及びＢＳＮの各々について判定された波高値の個数、及び、複数の波高値区分ＢＳ１〜ＢＳ４及びＢＳＮの各々において複数の粒径区分ＢＰ１〜ＢＰ４の各々が含まれる含有比率とを用いて、複数の粒径区分ＢＰｉの各々における粒子数を推定する推定処理（Ｓ３４）と、複数の粒径区分ＢＰ１〜ＢＰ４の各々における粒子数を用いて、気体中に含まれる粒子の質量濃度を算出する算出処理（Ｓ３５）とを実行する。
【０２４５】
このように、複数の波高値区分ＢＳ１〜ＢＳ４及びＢＳＮの各々において複数の粒径区分ＢＰ１〜ＢＰ４の各々が含まれる含有比率を用いることで、粒径区分ＢＰ１〜ＢＰ４の各々の個数濃度に基づき質量濃度を推定することができる。よって、分粒装置を用いることなく高精度に質量濃度を推定することができる。つまり、小型化かつ低コストで高精度に質量濃度を推定することができる。さらに、粒径区分ＢＰ１〜ＢＰ４の各々について質量濃度を推定できるので、粒径分布が変化した場合であっても、高精度に質量濃度を推定することができる。すなわち、粒子の検出精度を向上させることができる。
【０２４６】
また、例えば、複数の波高値区分ＢＳ１〜ＢＳ４のうち一の波高値区分（例えば、波高値区分ＢＳ３）における含有比率は、当該一の波高値区分について判定された波高値の個数（ここでは、ＮＢＳ３）と、当該一の波高値区分より大きい他の波高値区分（ここでは、波高値区分ＢＳ１、ＢＳ２）の各々について判定された波高値の個数（ここでは、ＮＢＳ２）、及び、検知領域ＤＡ内の位置に応じた信号強度の変化とに基づく値である。
【０２４７】
これにより、含有比率を、例えば逆演算（デコンボリューション）等の複雑な処理を行うことなく求めることができる。よって、簡易な演算処理で高精度に質量濃度を算出することができる。
【０２４８】
また、例えば、複数の波高値区分ＢＳ１〜ＢＳ４、ＢＳＮを区分けする閾値Ｖｔ１〜Ｖｔ４は、検知信号に含まれるノイズの波高値に対応するノイズ閾値Ｖｔ４を含み、処理部６２０Ｂは、推定処理において、複数の波高値区分ＢＳ１〜ＢＳ４、ＢＳＮのうちノイズ閾値Ｖｔ４を上限として区分けされた波高値区分ＢＳＮ以外の他の波高値区分ＢＳ１〜ＢＳ４の各々について判定された波高値の個数、及び、当該他の波高値区分ＢＳ１〜ＢＳ４の各々における上記含有比率を用いて、複数の粒径区分ＢＰ１〜ＢＰ４の各々における粒子数を推定する。
【０２４９】
ここで、検知信号の波形には、ノイズに起因するノイズ波形と、検知領域ＤＡにおける粒子に起因する信号波形とが含まれる。このとき、小粒径の粒子に起因する信号や、検知領域のうち光学感度が小さな領域を通過する粒子に起因する信号は、ノイズ波形に埋もれる場合がある。この場合、ノイズ波形によって、質量濃度を高精度に算出するのが困難になる。
【０２５０】
また、ノイズ波形は光学的、電気的な成分を含み、温度特性、外乱、経年劣化により変化するため、粒子検出センサ１Ｂの使用用途によっては、このようなノイズ波形の変化を考慮してノイズ波形による影響を抑制する必要がある。
【０２５１】
そこで、ノイズの波高値に対応するノイズ閾値Ｖｔ４を上限として区分けされた波高値区分ＢＳＮを設け、処理部６２０Ｂは、推定処理において、当該波高値区分ＢＳＮ以外の他の波高値区分ＢＳ１〜ＢＳ４の各々について判定された波高値の個数を用いて複数の粒径区分ＢＰ１〜ＢＰ４の各々における粒子数を推定することにより、検知信号に含まれるノイズによる精度の低下を抑制して質量濃度を算出することができる。
【０２５２】
また、例えば、処理部６２０Ｂは、算出処理において、複数の粒径区分ＢＰ１〜ＢＰ４の各々における粒子数に対して、当該粒径区分における平均質量に基づく係数を乗ずることにより、質量濃度を算出する。
【０２５３】
これにより、複数の粒径区分ＢＰ１〜ＢＰ４の各々において粒子の存在比率が一定の場合、各粒径区分における質量濃度を算出することができる。ここで、質量濃度を推定する粒径範囲は、粒子検出センサ１Ｂの用途に応じて大きく変わる。そこで、各粒径区分ＢＰ１〜ＢＰ４における質量濃度を算出することにより、所望の粒径範囲において質量濃度を推定することができるため、粒子検出センサ１Ｂを種々の用途に容易に展開できる。
【０２５４】
また、例えば、処理部６２０Ｂは、算出処理において、所望の粒径範囲（本実施の形態では０．５μｍ〜２．５μｍ）に含まれる粒径区分ＢＰ３及びＢＰ４の各々における質量濃度を算出し、算出した質量濃度を合算することにより当該所望の粒径範囲における質量濃度を算出する。
【０２５５】
上述したように、質量濃度を推定する粒径範囲は、粒子検出センサ１Ｂの用途に応じて大きく変わる。そこで、所望の粒径範囲に含まれる粒径区分の各々について算出した質量濃度を合算することにより、粒子検出センサ１Ｂが用いられる種々の用途に応じた粒径範囲における質量濃度を算出できる。
【０２５６】
（変形例３）
なお、上記実施の形態の変形例２では、処理部６２０Ｂは、算出処理において、複数の粒径区分の各々における粒子数に対して、当該粒径区分における平均質量に基づく係数を乗ずることにより、気体中の粒子の質量濃度を算出することとした。しかし、処理部は、算出処理において、複数の粒径区分の各々における粒子数に対して、当該粒径区分における粒子の存在比率を考慮した代表質量に基づく係数を乗ずることにより、気体中の粒子の質量濃度を算出してもよい。
【０２５７】
ここで、一般に粒子状物質はＰａｒｔｉｃｕｌａｔｅ  Ｍａｔｔｅｒ（ＰＭ）と呼ばれ、例えば、ＰＭ２．５とは空気動力学径が２．５ｕｍ以下の粒子のことである。
【０２５８】
図２４は、一般的なＰＭ２．５分粒装置の通過率特性を示すグラフである。具体的には、ＰＭ２．５とは、図２４に示すような「大気中に浮遊する粒子状物質であって粒径が２．５ｕｍ以下の粒子を５０％の割合で分離することができる分粒装置を用いて、より粒径の大きい粒子を除去した後に採取される粒子」と定義されている。
【０２５９】
したがって、このような空気動力学径で定義されるＰＭ１０、ＰＭ２．５、ＰＭ０．５などの質量濃度を推定する場合、粒径区分の各々について乗ずる係数は、上記の定義に基づく当該粒径範囲での粒径ごとの割合を考慮した１個あたりの代表質量に基づき設定される。
【０２６０】
すなわち、本変形例に係る粒子検出センサがＰＭ２．５の質量濃度の取得に用いられる場合、処理部は、算出処理において、複数の粒径区分の各々における粒子数に対して、当該粒径区分における粒子の存在比率（本変形例では図２４に示す通過率特性）を考慮した代表質量に基づく係数を乗ずることにより、気体のＰＭ２．５についての質量濃度を算出する。
【０２６１】
ここで、各粒径区分における代表質量は、例えば、当該粒径区分における粒子の存在比率と規格化質量（図２３参照）とを用いて求めることができる。具体的には、予め取得された粒径０．１μｍの粒子の質量に対して、各粒径区分における粒径毎の存在比率と規格化質量とから求められる値を乗ずることにより、各粒径区分における代表質量を求めることができる。
【０２６２】
このような本変形例に係る粒子検出センサによれば、実施の形態の変形例２に係る粒子検出センサ１Ｂと同様に、粒子の検出精度が向上するので、気体中の粒子の質量濃度を高精度に推定することができる。
【０２６３】
（変形例４）
次に、実施の形態の変形例４について、説明する。
【０２６４】
上記実施の形態において、処理部６２０がピークサーチを行うことについて説明した。このとき、ピーク値の誤差を低減する観点から、粒子検出センサは以下のように構成されていることが好ましい。
【０２６５】
図２５は、本変形例に係る粒子検出センサの一部の構成の一例を示すブロック図である。具体的には、同図には、信号変換部６１０、処理部６２０、判定部２６３及びＤＡ変換部２６４の構成が示されている。
【０２６６】
同図に示すように、本変形例に係る粒子検出センサでは、上記実施の形態に係る粒子検出センサ１と比べて、さらに、判定部２６３とＤＡ変換部２６４とを有する。
【０２６７】
判定部２６３は、増幅部２４２で増幅された電圧信号と予め定められた閾値との大小関係を判定する。具体的には、判定部２６３は、増幅部２４２で増幅された電圧信号の大きさと当該閾値の大きさを比較し、比較結果を示す信号を出力する、例えば比較器である。本変形例では、判定部２６３は、増幅部２４２の出力電圧（増幅部２４２で増幅された電圧信号）が基準電位（予め定められた閾値）未満の場合に０を出力し、増幅部２４２の出力電圧が基準電位より大きい場合に１を出力する。
【０２６８】
ＤＡ変換部２６４は、判定部２６３の判定結果を用いて生成した電圧を増幅部２４２に出力する電圧生成部である。具体的には、ＤＡ変換部２６４は、判定部２６３の判定結果が切り替わるまでの期間、出力する電圧を単調増加又は単調減少させ、判定部２６３の判定結果が切り替わって以降の期間、出力する電圧を維持する。本変形例では、ＤＡ変換部２６４は、判定部２６３の出力が０の期間、出力する電圧を例えばリニアに増加させ、判定部２６３の出力が０から１に切り替わって以降の期間、出力する電圧を維持する。つまり、ＤＡ変換部２６４は、判定部２６３の出力が１の期間、出力する電圧を変化させない。
【０２６９】
このような判定部２６３及びＤＡ変換部２６４の機能はいずれも、汎用ＭＰＵに予め組み込まれた比較器、カウンタ、ＤＡ変換モジュール等を用いて実現することができる。
【０２７０】
次に、本変形例に係る粒子検出センサが奏する効果について、本変形例に至った経緯も含めて説明する。
【０２７１】
一般的に、増幅回路等に用いられるオペアンプでは、入力電圧が０の場合であっても出力電圧になんらかの直流電圧が現れる。このような直流電圧は、増幅回路等の特性に影響を及ぼす場合があり、粒子検出センサによる粒径の推定精度が低下するという問題がある。
【０２７２】
以下、この推定精度の低下について、図２６、図２７Ａ及び図２７Ｂを用いて、具体的に説明する。
【０２７３】
図２６は、増幅器２４２ｂの構成の一例を示す回路図である。図２７Ａ及び図２７Ｂは、増幅器２４２ｂの出力電圧Ｖｏｕｔを示すグラフである。具体的には、図２７Ａは、増幅器２４２ｂの入力電圧ＶｉｎがオペアンプＯＰａｍｐの入力オフセット電圧Ｖｉｏ未満の場合を示し、図２７Ｂは、増幅器２４２ｂの入力電圧ＶｉｎがオペアンプＯＰａｍｐの入力オフセット電圧Ｖｉｏ以上の場合を示す。なお、図２６では、説明の便宜上、オペアンプＯＰａｍｐの入力オフセット電圧Ｖｉｏを、オペアンプＯＰａｍｐ外部の定電圧源の電圧として示している。
【０２７４】
図２６に示すように、増幅器２４２ｂは、例えば、オペアンプＯＰａｍｐと、抵抗素子Ｒ１及びＲ２とを有する。ここで、例えば、抵抗素子Ｒ１の抵抗値が１ｋΩ、抵抗素子Ｒ２の抵抗値が９ｋΩの場合、オペアンプＯＰａｍｐの電圧増幅率（ゲイン）は１０倍となる。このため、入力オフセット電圧Ｖｉｏが−１０ｍＶの場合、図２７Ａ及び図２７Ｂに示す出力オフセット電圧Ｅｏは−１００ｍＶとなる。
【０２７５】
よって、増幅器２４２ｂの出力電圧Ｖｏｕｔは、入力電圧Ｖｉｎを増幅した電圧に対して出力オフセット電圧Ｅｏ分オフセットされた電圧となる。
【０２７６】
具体的には、図２７Ａに示すように、入力電圧Ｖｉｎが入力オフセット電圧Ｖｉｏ未満の場合、増幅器２４２ｂの出力電圧Ｖｏｕｔは、出力オフセット電圧Ｅｏ分オフセットされることにより、基準電位（例えば０Ｖ）未満となる。このため、ＡＤ変換部２６１で生成されるデジタルデータでは、このような信号が消失してしまうこととなり、粒径を推定することが困難になる。
【０２７７】
また、図２７Ｂに示すように、入力電圧Ｖｉｎが入力オフセット電圧Ｖｉｏ以上の場合、増幅器２４２ｂの出力電圧Ｖｏｕｔは、出力オフセット電圧Ｅｏ分オフセットされることにより、当該オフセット電圧Ｅｏ分目減り（低下）した電圧となる。このため、ＡＤ変換部２６１で生成されるデジタルデータでは、信号のピーク値が目減りしてしまうこととなり、粒径を精度よく推定することが困難になる。
【０２７８】
したがって、粒径の推定精度の低下を抑制するために、オペアンプＯＰａｍｐの入力オフセット電圧Ｖｉｏをキャンセルすることが望まれる。
【０２７９】
本変形例によれば、上記のような構成により、入力オフセット電圧Ｖｉｏをキャンセルすることができる。以下、入力オフセット電圧Ｖｉｏのキャンセル動作について、図２８及び図２９を用いて説明する。
【０２８０】
図２８は、増幅器２４２ｂ、判定部２６３及びＤＡ変換部２６４の接続関係を模式的に示す模式図である。図２９は、判定部２６３の出力、及び、ＤＡ変換部２６４の出力を示すグラフである。なお、図２８では、増幅器２４２ｂを構成する各構成要素のうちオペアンプＯＰａｍｐのみが示され、他の構成要素については図示を省略している。また、同図では、図２６と同様、説明の便宜上、オペアンプＯＰａｍｐの入力オフセット電圧Ｖｉｏを、オペアンプＯＰａｍｐ外部の定電圧源の電圧として示している。
【０２８１】
図２８に示すように、判定部２６３は、増幅器２４２ｂの出力電圧Ｖｏｕｔ（オペアンプＯＰａｍｐの出力電圧Ｖｏｕｔ）が入力され、入力された出力電圧Ｖｏｕｔと基準電位との比較結果を示す信号をＤＡ変換部２６４に出力する。具体的には、判定部２６３は、出力電圧Ｖｏｕｔと基準電位とを比較し、図２９に示すように、出力電圧Ｖｏｕｔが基準電位未満の場合に０を出力し、基準電位以上の場合に１を出力する。
【０２８２】
ＤＡ変換部２６４は、判定部２６３の判定結果に応じた電圧を増幅部２４２に出力する。具体的には、図２９に示すように、ＤＡ変換部２６４は、判定部２６３により出力電圧Ｖｏｕｔが基準電位未満と判定されている間、つまり判定部２６３の出力が０の期間、出力する電圧を上昇させる。一方、ＤＡ変換部２６４は、判定部２６３により出力電圧Ｖｏｕｔが基準電位以上と判定されている間、つまり判定部２６３の出力が１の期間、出力する電圧を維持（固定）する。よって、ＤＡ変換部２６４は、判定部２６３の出力が１の期間、判定部２６３による判定結果が０から１に切り替わったときの電圧Ｖｆｉｘを維持することとなる。
【０２８３】
本変形例では、ＤＡ変換部２６４は、判定部２６３の判定結果に応じた電圧を、オペアンプＯＰａｍｐの２つの入力端子（非反転入力端子及び反転入力端子）のうち入力電圧Ｖｉｎが入力される入力端子と異なる入力端子（ここでは反転入力端子）に入力する。これにより、オペアンプＯＰａｍｐの一方の入力端子には、入力電圧Ｖｉｎに対してＤＡ変換部２６４の出力電圧Ｖｄａが上乗せされた電圧が印加されることとなる。このため、当該ＤＡ変換部２６４の出力電圧Ｖｄａと入力オフセット電圧Ｖｉｏとがキャンセル（相殺）された場合に、出力オフセット電圧Ｅｏが０となる。
【０２８４】
したがって、判定部２６３による判定結果が０から１に切り替わるとき、つまり、ＤＡ変換部２６４の出力電圧Ｖｄａを上昇させることにより出力電圧Ｖｏｕｔが基準電位に達した時点において、出力オフセット電圧Ｅｏが０となる。よって、このときのＤＡ変換部２６４の出力電圧Ｖｆｉｘによって、オペアンプＯＰａｍｐの入力オフセット電圧Ｖｉｏをキャンセルすることができる。
【０２８５】
そこで、このような出力電圧Ｖｆｉｘを増幅部２４２に出力することにより、オペアンプＯＰａｍｐの入力オフセット電圧Ｖｉｏをキャンセルすることができる。よって、入力オフセット電圧Ｖｉｏのキャンセル動作の終了後、つまり、判定部２６３による判定結果が０から１に切り替わって以降の期間、ＤＡ変換部２６４が出力電圧Ｖｆｉｘを出力することにより、引き続き入力オフセット電圧Ｖｉｏをキャンセルすることができる。
【０２８６】
以上のように、本変形例に係る粒子検出センサによれば、増幅部２４２で増幅された電圧信号（本変形例ではオペアンプＯＰａｍｐの出力電圧Ｖｏｕｔ）と予め定められた閾値（本変形例では基準電位）との大小関係を用いて生成された電圧（本変形例では出力電圧Ｖｆｉｘ）を増幅部２４２に出力することにより、オペアンプＯＰａｍｐの入力オフセット電圧Ｖｉｏをキャンセルすることができる。つまり、本変形例によれば、オペアンプＯＰａｍｐの出力オフセット電位Ｅｏを基準電位と比較してフィードバック制御を行うことにより、当該オペアンプＯＰａｍｐの入力オフセット電圧Ｖｉｏをキャンセルする。これにより、オペアンプＯＰａｍｐの入力オフセット電圧Ｖｉｏによる粒径の推定精度の低下を抑制できる。
【０２８７】
なお、本変形例では、ＤＡ変換部２６４は出力電圧Ｖｄａをリニア（線形）に増加させるとしたが、非線形に単調増加させてもかまわないし、リニア又は非線形に単調減少させてもかまわない。
【０２８８】
また、予め定められた閾値は基準電位に限らず、電圧信号のノイズフロア等に応じて適宜設定される任意の電圧であってもかまわない。
【０２８９】
また、本変形例では、増幅部２４２が１つのオペアンプＯＰａｍｐを有する場合を例に説明したが、増幅部２４２はカスケード接続された複数のオペアンプを有してもかまわない。この場合、少なくとも１つのオペアンプに対して入力オフセット電圧をキャンセルすればよく、例えば、全てのオペアンプの入力オフセット電圧をキャンセルしてもかまわないし、初段のオペアンプの入力オフセット電圧をキャンセルしてもかまわない。
【０２９０】
ただし、微小な信号成分が入力されるオペアンプ等、入力オフセット電圧の影響を受けやすいオペアンプにおいて当該入力オフセット電圧をキャンセルすることにより、増幅部２４２全体における入力オフセット電圧の影響を効果的に抑制できる。このため、初段のオペアンプ、つまり最も受光素子１３１に近いオペアンプの入力オフセット電圧をキャンセルすることが好ましい。
【０２９１】
また、入力オフセット電圧による誤差が生じやすいオペアンプにおいて当該入力オフセット電圧をキャンセルすることにより、増幅部２４２全体における入力オフセット電圧の影響を効果的に抑制できる。このため、最もゲインの高いオペアンプの入力オフセット電圧をキャンセルすることが好ましい。
【０２９２】
また、入力オフセット電圧Ｖｉｏのキャンセル動作を行うタイミングは特に限定されないが、当該入力オフセット電圧Ｖｉｏを高精度にキャンセルする観点から、粒子に応じた信号成分がセンサ部２００から出力される電流信号に含まれない期間に行うことが好ましい。このため、例えば、当該キャンセル動作は、粒子検出センサの電源投入時の初期化期間、投光素子１２１の消灯期間、加熱装置６０の安定温度到達までの期間等に行うことが好ましい。
【０２９３】
（変形例５）
次に、実施の形態の変形例５について、説明する。
【０２９４】
上記実施の形態において、処理部６２０がピークサーチを行うことについて説明した。このとき、気体中に含まれる粒子の量が多い場合、つまり粒子の濃度が高い場合であっても粒径の推定精度を確保する観点から、粒子検出センサは以下のように構成されていることが好ましい。
【０２９５】
図３０は、本変形例に係る粒子検出センサの一部の構成の一例を示すブロック図である。具体的には、同図には、信号変換部６１０、処理部６２０Ｄ及びゲイン制御部２６５の構成が示されている。
【０２９６】
同図に示すように、本変形例に係る粒子検出センサは、上記実施の形態に係る粒子検出センサと比べて、さらにゲイン制御部２６５を有し、処理部６２０に代わり処理部６２０Ｄを有する。
【０２９７】
ゲイン制御部２６５は、ＡＤ変換部２６１から出力されたデジタルデータを用いて、ＩＶ変換部２４１及び増幅部２４２の少なくとも一方（本変形例では両方）のゲインを制御する。具体的には、ゲイン制御部２６５は、デジタルデータが予め定められた閾値電圧（例えば、飽和電圧等）に達したか否かに応じて、当該ゲインを制御する。より具体的には、ゲイン制御部２６５は、デジタルデータが閾値に達した場合に、当該ゲインが小さくなるような制御信号をＩＶ変換部２４１及び増幅部２４２に出力する。また、ゲイン制御部２６５は、上記ゲインを示す情報を処理部６２０Ｄに出力する。
【０２９８】
なお、ゲイン制御部２６５は、ＩＶ変換部２４１及び増幅部２４２のいずれか一方のゲインのみを制御してもかまわない。
【０２９９】
例えば、ゲイン制御部２６５は、制御信号によってＩＶ変換部２４１の電流電圧変換係数を調整することにより、ＩＶ変換部２４１のゲインを制御する。また、ゲイン制御部２６５は、制御信号によって増幅部２４２の電圧増幅率を調整することにより、増幅部２４２のゲインを制御する。
【０３００】
図３１は、本変形例におけるＩＶ変換部２４１の一例を示す回路図である。なお、同図に示すＩＶ変換部２４１は、さらに、センサ部２００と直列接続された抵抗素子、及び、抵抗素子Ｒ１１と並列接続された他の抵抗素子等を有してもかまわないが、これらについては図示を省略している。
【０３０１】
図３１に示すように、ＩＶ変換部２４１は、並列接続された複数の抵抗素子Ｒ１１（抵抗素子Ｒ１１ａ〜抵抗素子Ｒ１１ｃ等）と、当該複数の抵抗素子Ｒ１１のうち少なくとも一部の抵抗素子Ｒ１１（同図では、抵抗素子Ｒ１１ｂ及び抵抗素子Ｒ１１ｃ）と直列接続されたスイッチＳＷ１１（スイッチＳＷ１１ｂ及びＳＷ１１ｃ）とを有する。これらスイッチＳＷ１１は、ゲイン制御部２６５からの制御信号により、互いに独立にオン及びオフする。
【０３０２】
このような構成により、ＩＶ変換部２４１は、ゲイン制御部２６５からの制御信号に応じてスイッチＳＷ１１がオン及びオフすることにより、当該ＩＶ変換部２４１の電流電圧変換係数が調整される。具体的には、ＩＶ変換部２４１は、オフしているスイッチＳＷ１１の数が多いほど、電流電圧変換係数が小さくなる。
【０３０３】
図３２は、本変形例における増幅器２４２ｂの一例を示す回路図である。なお、同図に示す増幅器２４２ｂは、さらに、オペアンプＯＰａｍｐの入力端子に直列接続された抵抗素子、及び、抵抗素子Ｒ２２と並列接続された他の抵抗素子等を有してもかまわないが、これらについては図示を省略している。
【０３０４】
図３２に示すように、増幅器２４２ｂは、オペアンプＯＰａｍｐと、抵抗素子Ｒ２１と、複数の抵抗素子Ｒ２２（抵抗素子Ｒ２２ａ〜抵抗素子Ｒ２２ｃ等）と、少なくとも１つのスイッチＳＷ２２（スイッチＳＷ２２ｂ及びＳＷ２２ｃ）とを有する。具体的には、抵抗素子Ｒ２１は、オペアンプＯＰａｍｐのフィードバックループとグランドとの間に挿入されている。複数の抵抗素子Ｒ２２は、互いに並列接続され、オペアンプＯＰａｍｐのフィードバックループに挿入されている。スイッチＳＷ２２は、複数の抵抗素子Ｒ２２のうち少なくとも一部の抵抗素子Ｒ２２（同図では、抵抗素子Ｒ２２ｂ及び抵抗素子Ｒ２２ｃ）と直列接続されており、ゲイン制御部２６５からの制御信号により、互いに独立にオン及びオフする。
【０３０５】
このような構成により、増幅器２４２ｂは、ゲイン制御部２６５からの制御信号に応じてスイッチＳＷ２２がオン及びオフすることにより、当該増幅器２４２ｂの電圧増幅率が調整される。具体的には、増幅器２４２ｂは、オフしているスイッチＳＷ２２の数が多いほど、電圧増幅率が小さくなる。
【０３０６】
このように、ゲイン制御部２６５は、ＩＶ変換部２４１及び増幅部２４２のゲインを調整することができる。また、このようなゲイン制御部２６５の機能は、汎用ＭＰＵに予め組み込まれた比較器、カウンタ等を用いて実現することができる。
【０３０７】
処理部６２０Ｄは、上記実施の形態における処理部６２０と比べて、粒径の算出処理において、さらに、ゲイン制御部１６５から出力されるゲインを示す情報を用いて、当該粒径を算出する。具体的には、センサ部２００から出力された電流信号の大きさが同じであっても、ゲインが小さいほど当該ゲインに応じてデジタルデータのデジタル値も小さくなる。そこで、処理部６２０Ｄは、例えば、ゲインと当該ゲインに応じた係数とを予め保持し、粒子の粒径を算出するための複数の閾値を当該係数によって補正する。
【０３０８】
これにより、処理部６２０Ｄは、ゲイン制御部１６５によるゲインの制御に応じて、適切に粒子の粒径を算出することができる。なお、処理部６２０Ｄは、ゲインに応じた係数によってデジタルデータを補正することにより、粒径を算出してもよい。
【０３０９】
次に、本変形例に係る粒子検出センサが奏する効果について、本変形例に至った経緯も含めて説明する。
【０３１０】
一般的に、粒子検出センサでは、粒径の小さな粒子（微小粒子）から大きな粒子（粗大粒子）まで、粒径を測定できることが期待される。しかしながら、粒子検出センサを微小粒子の粒径を測定可能に調整した場合、粗大粒子について粒径を測定できない虞がある。つまり、粗大粒子についてはセンサ部２００から出力される電流信号が大きくなるために、アナログ信号処理部２４０に用いられるオペアンプ等のアナログ素子が飽和状態となってしまい、デジタルデータが飽和する場合がある。
【０３１１】
また、粒子の濃度が高い場合も、複数の粒子が連続してセンサ部２００の内部に入ることにより電流信号が大きくなるために、粗大粒子の場合と同様に、デジタルデータが飽和する場合がある。
【０３１２】
このような場合、電流信号のピークに応じたデジタルデータのピーク値を検出することが困難となるため、粒径の推定精度が低下するという問題がある。
【０３１３】
そこで、本変形例では、ゲイン制御部２６５がデジタルデータを用いてアナログ信号処理部２４０のゲインを制御することにより、センサ部２００から出力された電流信号が大きい場合であってもデジタルデータのピーク値を検出することができる。つまり、本変形例では、ゲイン制御部２６５によって自動利得制御（Ａｕｔｏｍａｔｉｃ  Ｇａｉｎ  Ｃｏｎｔｒｏｌ：ＡＧＣ）が行われることにより、微小粒子及び粗大粒子のいずれについても粒径を測定することができる。
【０３１４】
以下、本変形例に係る粒子検出センサが奏する効果について、ゲイン制御部２６５によるＡＧＣが行われない場合と対比しながら、さらに詳細に説明する。
【０３１５】
図３３は、微小粒子及び粗大粒子の各々について、ゲイン制御部２６５によるＡＧＣが行われない場合（図中の「ＡＧＣ無」）、及び、行われる場合（図中の「ＡＧＣ有」）におけるデジタルデータを模式的に示す図である。
【０３１６】
同図に示すように、微小粒子については、ゲイン制御部２６５によるＡＧＣの有無によらずピーク値を取得することができる。
【０３１７】
一方、粗大粒子については、ゲイン制御部２６５によるＡＧＣが行われない場合、デジタルデータが飽和することによりピーク値の取得が困難となる。これに対して、ゲイン制御部２６５によるＡＧＣが行われる場合、デジタルデータが閾値電圧（本変形例では飽和電圧）に達したとき（時間Ｔｓｗ１１）に、ゲインが小さくなるように切り替えられることにより、ＡＧＣが行われない場合に取得できなかったピーク値を取得することができる。
【０３１８】
以上のように、本変形例に係る粒子検出センサによれば、ゲイン制御部２６５がＡＤ変換部２６１から出力されたデジタルデータを用いてゲインを制御することにより、微小粒子及び粗大粒子のいずれについてもデジタルデータのピーク値を取得することができる。また、粒子の濃度が高い場合であっても同様に、ゲイン制御部２６５がゲインを制御することにより、デジタルデータのピーク値を取得することができる。したがって、ピーク値を用いて粒径を測定することができるため、粒径の推定精度の低下を抑制できる。
【０３１９】
ここで、ゲイン制御部２６５は、どのような手法によってデジタルデータが飽和電圧に達したかを判断してもかまわないが、例えば、デジタルデータのピーク値の検出の成否によって判断してもよい。
【０３２０】
すなわち、判定対象のサンプルのデジタル値と比較して、以降の所定数のサンプルにおいて連続してデジタル値が低下した場合にピーク値の検出に成功したと判断し、デジタルデータが飽和電圧に達していないと判断する。一方、当該場合以外、ピーク値の検出に失敗したと判断し、デジタルデータが飽和電圧に達したと判断する。なお、判定対象のサンプルのデジタル値と比較して、直後のサンプルのデジタル値が所定値以上低下した場合にピーク値の検出に成功したと判断し、当該場合以外、ピーク値の検出に失敗したと判断してもかまわない。
【０３２１】
なお、本変形例では、ゲイン制御部２６５がゲインを切り替える閾値電圧として飽和電圧を用いたが、当該閾値電圧はこれに限らず、飽和電圧以下の任意の電圧であればよい。
【０３２２】
また、ゲイン制御部２６５はゲインを小さくするだけでなく、ゲインを大きくしてもよい。例えば、ゲイン制御部２６５は、デジタルデータが閾値電圧に達しない期間が比較的長期間（例えば、１０分間）続いた場合、ゲインを大きくしてもよい。これにより、微小粒子の粒径を高精度に測定することができる。具体的には、粒子検出センサによる粒径測定のダイナミックレンジと分解能とはトレードオフの関係にあるため、ゲインを大きくすることにより微小粒子の粒径を高精度に測定することができる。
【０３２３】
また、本変形例では、ゲイン制御部２６５はデジタルデータを用いてゲインを制御することとした。しかし、ゲイン制御部２６５はデジタルデータを用いずにゲインを制御してもよく、例えば予め定められたゲインに制御してもよい。言い換えると、ゲイン制御部２６５は、アナログ信号処理部２４０のゲインが予め設定されたゲインになるように、当該アナログ信号処理部２４０を制御してもよい。例えば、ゲイン制御部２６５は、粒子検出センサの工場出荷時に出荷先の地域の大気汚染等に即して設定されたゲインになるようにアナログ信号処理部２４０を制御してもよい。
【０３２４】
このような構成によれば、ゲイン制御部２６５によってゲインを制御することにより、ＩＶ変換部２４１及び増幅部２４２の構成を共通化することができるため、粒子検出センサの設計及び製造工程の煩雑化を抑制できる。当該ゲインとしては、例えば、粒子検出センサの出荷先が大気汚染の高い地域である場合には比較的小さい値が設定され、当該出荷先が大気汚染の低い地域である場合には比較的大きい値が設定される。
【０３２５】
また、ゲイン制御部２６５は、ユーザの指定に応じてゲインを制御してもかまわない。
【０３２６】
（変形例６）
次に、実施の形態の変形例６について、説明する。
【０３２７】
上記実施の形態の変形例５では、粒子の濃度が高い場合におけるデジタルデータの電圧的な飽和について説明した。しかし、粒子の濃度が高い場合には、アナログ信号処理部を構成するフィルタ等のアナログ素子の応答に起因して、センサ部２００から出力された電流信号の変動とデジタルデータの変動とが一致しない状態（時間的な飽和）が生じる場合がある。このことは、粒径の推定精度の低下の要因となり得る。
【０３２８】
そこで、粒子の濃度が高い場合であっても粒径の推定精度の低下を抑制する観点から、粒子検出センサは以下のように構成されていることが好ましい。
【０３２９】
図３４は、本変形例に係る粒子検出センサの一部の構成の一例を示すブロック図である。具体的には、同図には、信号変換部６１０Ｅ、処理部６２０及び切替制御部２６７の構成が示されている。
【０３３０】
同図に示すように、本変形例に係る粒子検出センサは、上記実施の形態に係る粒子検出センサ１と比べて、アナログ信号処理部２４０に代わり複数の増幅部２４２を有するアナログ信号処理部２４０Ｅを備え、さらに切替制御部２６７を有する。
【０３３１】
アナログ信号処理部２４０Ｅは、アナログ信号処理部２４０と比べて、複数の増幅部２４２（本変形例では、２つの増幅部２４２Ａ及び２４２Ｂ）と、ＩＶ変換部２４１と複数の増幅部２４２のうち一の増幅部２４２を接続するスイッチＳＷ３１を有する。また、本変形例では、アナログ信号処理部２４０Ｅは、当該一の増幅部２４２とＡＤ変換部２６１とを接続するスイッチＳＷ３２を備える。
【０３３２】
スイッチＳＷ３１は、切替制御部２６７からの制御信号に応じて、ＩＶ変換部２４１と複数の増幅部２４２のうち一の増幅部２４２とを接続する。スイッチＳＷ３２は、切替制御部２６７からの制御信号に応じて、当該一の増幅部２４２とＡＤ変換部２６１とを接続する。
【０３３３】
切替制御部２６７は、複数の増幅部２４２のうち一の増幅部２４２に電圧信号を増幅させる第一状態と、複数の増幅部２４２のうち他の一の増幅部２４２に電圧信号を増幅させる第二状態とを切り替える。具体的には、切替制御部２６７は、ＡＤ変換部２６１でサンプリング及び量子化された時系列のデジタルデータを用いて、第一状態と第二状態とを切り替える。本変形例では、切替制御部２６７は、スイッチＳＷ３１及びＳＷ３２の接続を制御する制御信号を切り替えることにより、第一状態と第二状態とを切り替える。このような切替制御部２６７の機能は、汎用ＭＰＵに予め組み込まれた比較器等の機能モジュールを用いて実現することができる。
【０３３４】
このように、本変形例に係る粒子検出センサでは、切替制御部２６７が、複数の増幅部２４２のうち電圧信号を増幅する増幅部２４２を切り替える。
【０３３５】
次に、切替制御部２６７の動作について、本変形例に至った経緯も含めて説明する。図３５は、切替制御部２６７による切り替えが行われず一の増幅部２４２が電圧信号を増幅すると仮定し、検知領域ＤＡに１つの粒子が導入された場合（図中の「単一粒子」）、及び、同一粒径の複数（例えば２つ）の粒子が導入された場合（図中の「複数粒子」）における、当該増幅部２４２の入力電圧Ｖａｍｐ＿ｉｎの波形及び出力電圧Ｖａｍｐ＿ｏｕｔの波形を模式的に示す図である。
【０３３６】
同図に示すように、検知領域ＤＡに１つの粒子が導入された場合について着目すると、出力電圧Ｖａｍｐ＿ｏｕｔの波形には、入力電圧Ｖａｍｐ＿ｉｎの波形には現れない低電位側へ突出する波形の乱れ、いわゆるアンダーシュートが現れている。アンダーシュートは、増幅部２４２を構成するフィルタ等のアナログ素子の応答に起因するため、当該アンダーシュートの発生そのものを抑制することは難しい。
【０３３７】
このようなアンダーシュートの発生により、検知領域ＤＡに複数の粒子が導入された場合、すなわち気体中の粒子の濃度が高いために複数の粒子が連続して検知領域ＤＡに導入された場合に、次のような問題が生じる虞がある。
【０３３８】
具体的には、同図に示すように、検知領域ＤＡに同一粒径の複数の粒子が導入された場合、入力電圧Ｖａｍｐ＿ｉｎの波形には同一のピーク値をとる２つのパルス波形が現れる。これに対して、出力電圧Ｖａｍｐ＿ｏｕｔの波形には異なるピーク値を取る２つのパルス波形が現れている。これは、最初のパルス波形と次のパルス波形との時間間隔が比較的短いために、次のパルス波形に対して最初のパルス波形によって発生したアンダーシュートが合成されるためである。
【０３３９】
このため、連続して導入された同一粒径の２つの粒子のうち、後に導入された粒子については、出力電圧Ｖａｍｐ＿ｏｕｔの波形のピーク値が本来のピーク値よりも低下する場合がある。つまり、出力電圧Ｖａｍｐ＿ｏｕｔに誤差が発生する場合がある。この場合、ＡＤ変換部２６１でＡＤ変換されたデジタルデータにも、出力電圧Ｖａｍｐ＿ｏｕｔの誤差に相当した誤差が発生するため、粒径の推定精度が低下するという問題がある。
【０３４０】
そこで、本変形例では、切替制御部２６７が電圧信号を増幅する増幅部２４２を切り替えることにより、粒子の濃度が高い場合であっても粒径の推定精度の低下を抑制することができる。
【０３４１】
以下、本変形例に係る粒子検出センサが奏する効果について、切替制御部２６７の動作の一例についても併せて述べつつ、図３６を用いて説明する。
【０３４２】
図３６は、本変形例に係る粒子検出センサが奏する効果について説明するための図である。具体的には、同図は、検知領域ＤＡに同一粒径の２つの粒子が連続して導入された場合の図であり、同図の（ａ）は、増幅部２４２Ａの出力電圧を示すグラフであり、同図の（ｂ）は、増幅部２４２Ｂの出力電圧を示すグラフであり、同図の（ｃ）はデジタルデータを示すグラフである。なお、同図では、粒子に対応したパルス波形のみを示し、当該パルス波形以外のノイズ等については図示を省略している。
【０３４３】
まず、切替制御部２６７は、複数の増幅部２４２のうち増幅部２４２Ａに電圧信号を増幅させる。具体的には、切替制御部２６７は、スイッチＳＷ３１にＩＶ変換部２４１と増幅部２４２Ａとを接続させ、スイッチＳＷ３２に増幅部２４２ＡとＡＤ変換部２６１とを接続させる。
【０３４４】
これにより、同図の（ａ）に示すように、検知領域ＤＡに粒子が導入されると、増幅部２４２Ａの出力電圧の波形として当該粒子に対応したパルス波形が現れる。
【０３４５】
また、切替制御部２６７は、上記実施の形態で説明したピークサーチを行うことにより、デジタルデータのピークを検出する。
【０３４６】
そして、ピークを検出した後に、デジタルデータが基準値に到達した時点（時間Ｔｓｗ２１）、つまり増幅部２４２Ａの出力電圧が基準電位に到達した時点で、増幅部２４２Ａに代わり増幅部２４２Ｂに電圧信号を増幅させる。すなわち、デジタルデータが基準値に到達した時点で、増幅部２４２Ａに電圧信号を増幅させる第一状態から増幅部２４２Ｂに電圧信号を増幅させる第二状態へと切り替える。具体的には、切替制御部２６７は、スイッチＳＷ３１にＩＶ変換部２４１と増幅部２４２Ｂとを接続させ、スイッチＳＷ３２に増幅部２４２ＢとＡＤ変換部２６１とを接続させる。
【０３４７】
これにより、同図の（ｂ）に示すように、検知領域ＤＡに連続して導入された同一粒径の２つの粒子のうち後で導入された粒子について、増幅部２４２Ｂの出力電圧の波形として当該粒子に対応したパルス波形が現れる。
【０３４８】
したがって、同図の（ｃ）に示すように、デジタルデータには、同一のピーク値をもつ２つのパルス波形が現れることとなる。これにより、２つの粒子のうち後で導入された粒子について、推定精度の低下を抑制しつつ粒径を推定することができる。
【０３４９】
以上のように、本変形例に係る粒子検出センサによれば、切替制御部２６７が、複数の増幅部２４２のうち一の増幅部２４２（本変形例では増幅部２４２Ａ）に電圧信号を増幅させる第一状態と、複数の増幅部２４２のうち他の一の増幅部２４２（本変形例では増幅部２４２Ｂ）に電圧信号を増幅させる第二状態とを切り替える。
【０３５０】
これにより、一の増幅部２４２で増幅された電圧信号と他の一の増幅部２４２で増幅された電圧信号とを、互いに影響されない独立の信号とすることができる。よって、一の増幅部２４２で増幅された電圧信号にアンダーシュートが発生している期間であっても、他の一の増幅部２４２で増幅された電圧信号は当該アンダーシュートの影響を受けなくなる。このため、第一状態と第二状態とを切り替えることにより、粒子の濃度が高いためにパルス波形の時間間隔が短い場合であってもパルス波形のピーク誤差を低減できる。よって、粒子の濃度が高い場合であっても粒径の推定精度の低下を抑制することができる。
【０３５１】
なお、本変形例では、粒子検出センサは、２つの増幅部２４２を備えていたが、増幅部２４２は複数であればよく、３以上であってもよい。
【０３５２】
また、本変形例では、切替制御部２６７は、ピークが検出した後にデジタルデータが基準値に到達した時点（時間Ｔｓｗ２１）で、第一状態から第二状態へと切り替えるとしたが、切替制御部２６７の切り替えタイミングはこれに限らず、例えば、図３７に示すように、基準値と異なる所定値となったタイミングで切り替えてもかまわない。
【０３５３】
図３７は、本変形例に係る粒子検出センサの他の一例が奏する効果について説明するための図である。具体的には、同図は、図３６と同様に、検知領域ＤＡに同一粒径の２つの粒子が連続して導入された場合の図であり、同図の（ａ）は、増幅部２４２Ａの出力電圧を示すグラフであり、同図の（ｂ）は、増幅部２４２Ｂの出力電圧を示すグラフであり、同図の（ｃ）はデジタルデータを示すグラフである。なお、同図の（ｂ）及び（ｃ）では、粒子に対応したパルス波形のみを示し、当該パルス波形以外のノイズ等については図示を省略している。
【０３５４】
切替制御部２６７は、デジタルデータが所定値に到達した時点（時間Ｔｓｗ２２）、つまり増幅部２４２Ａの出力電圧が閾値電位に到達した時点で、増幅部２４２Ａに代わり増幅部２４２Ｂに電圧信号を増幅させる。すなわち、切替制御部２６７は、当該時点で、増幅部２４２Ａに電圧信号を増幅させる第一状態から増幅部２４２Ｂに電圧信号を増幅させる第二状態へと切り替える。
【０３５５】
このような構成によっても、同図の（ｃ）に示すように、デジタルデータには、同一のピーク値をもつ２つのパルス波形が現れることとなる。よって、本変形例と同様の効果を奏することができる。
【０３５６】
ここで、所定値は、切替制御部２６７の不要な切り替えを抑制する観点から、基準電位からノイズの振幅以上低い電圧に対応した値であることが好ましい。このような値にすることで、ノイズ等の影響による切替制御部２６７の不要な切り替えを抑制できる。
【０３５７】
また、本変形例では、粒子検出センサは、２つの増幅部２４２に共通のＡＤ変換部２６１を備えるとしたが、例えば、図３８に示すように、各増幅部２４２に１つずつ対応するＡＤ変換部２６１を備えていてもかまわない。
【０３５８】
図３８は、本変形例に係る粒子検出センサの一部の構成の他の一例を示すブロック図である。具体的には、同図には、信号変換部６１０Ｆ、処理部６２０Ｆ及び切替制御部２６７Ｆの構成が示されている。
【０３５９】
同図に示す粒子検出センサは、上述した粒子検出センサと比べて、各増幅部２４２（増幅部２４２Ａ及び２４２Ｂ）に１つずつ対応するＡＤ変換部２６１（ＡＤ変換部２６１Ａ及び２６１Ｂ）を備え、スイッチＳＷ３２を有さない。
【０３６０】
本変形例における切替制御部２６７Ｆは、各ＡＤ変換部２６１でサンプリング及び量子化された時系列のデジタルデータを用いて、第一状態と第二状態とを切り替える。なお、切替制御部２６７Ｆが上記スイッチＳＷ３２に相当するスイッチ機能を有していてもかまわない。このような切替制御部２６７Ｆの機能は、上述した切替制御部２６７と同様に、汎用ＭＰＵの機能モジュールを用いて実現することができる。
【０３６１】
このような構成によっても、一の増幅部２４２（本変形例では増幅部２４２Ａ）で増幅された電圧信号と他の一の増幅部２４２で増幅された電圧信号とを、互いに影響されない独立の信号とすることができる。よって、一のＡＤ変換部２６１（ここではＡＤ変換部２６１Ａ）でサンプリング及び量子化されたデジタルデータにアンダーシュートが発生している期間であっても、他の一のＡＤ変換部２６１（ここではＡＤ変換部２６１Ｂ）でサンプリング及び量子化されたデジタルデータは当該アンダーシュートの影響を受けなくなる。よって、このような構成によっても、上述した粒子検出センサと同様の効果を奏することができる。
【０３６２】
また、各増幅部２４２はアナログ素子で構成されるため、当該アナログ素子の特性のばらつきによって、処理部６２０間で増幅率等の特性が異なる場合がある。この場合、同一粒径の粒子が検知領域ＤＡに導入された場合であっても、処理部６２０により算出される粒径が一致しない虞がある。このため、粒子の濃度が高い場合であっても粒径の推定精度を確保する観点から、処理部６２０が複数の増幅部２４２の各々に対応する補正係数を有し、当該補正係数を用いて粒径を算出することが好ましい。例えば、処理部６２０は、増幅率が大きい増幅部２４２ほど小さくなる補正係数を有し、当該補正係数を用いて粒子の粒径を算出するための複数の閾値を補正してもよい。
【０３６３】
（他の実施の形態等）
以上、本発明について実施の形態及び変形例に基づいて説明したが、本発明は、上記の実施の形態及び変形例に限定されるものではない。
【０３６４】
例えば、上記実施の形態及びその変形例では、処理部は、複数の波高値区分ＢＳ１〜ＢＳ４を区分けする閾値を補正することにより、波高値と閾値との相対関係を補正するとした。しかし、処理部による相対関係の補正方法はこれに限らない。
【０３６５】
例えば、処理部は、判定処理において、抽出された複数の波高値の各々を補正することにより、相対関係を補正してもよい。また、このとき、検知信号における任意のレベル（例えば、ノイズフロアＶＮ）を基準として複数の波高値の各々を補正してもよい。
【０３６６】
このような粒子検出センサによっても、実施の形態と同様の効果が奏される。つまり、検知信号から抽出された波高値が属する波高値区分を精度よく判別できるので、高精度に質量濃度を推定することができる。
【０３６７】
また、上記実施の形態及び変形例では、粒子を５．０μｍ以上、２．５μｍ〜５．０μｍ、１．０〜２．５μｍ、及び、０．５〜１．０μｍの４つの粒径区分ＢＰｉに区分したが、これに限るものではない。粒径区分の数及び範囲は、粒子検出センサが搭載される機器等に応じて、任意に設定してかまわない。
【０３６８】
同様に、波高値区分についても、粒径区分の設定あるいは粒子検出センサの精度等に応じて任意に設定してもかまわない。
【０３６９】
図３９は、都市大気の粒径分布を示すグラフである。
【０３７０】
ＰＭ２．５の粒径分布は同図に示すような分布をもつため、例えば、粒径の検出下限が０．３μｍの粒子検出センサにおいてＰＭ２．５の質量濃度を算出する場合、粒径区分を、０．３〜０．４μｍ、０．４〜０．６μｍ、０．６〜２．５μｍ、及び、２．５μｍ以上としてもよい。
【０３７１】
また、例えば、粒径区分の数と波高値区分の数は、必ずしも同じである必要はない。
【０３７２】
また、上記説明では、投光素子１２１は、５００ｎｍ以上かつ７００ｎｍ以下にピーク波長を持つ光を投光するとしたが、投光素子１２１が投光する光のピーク波長はこれに限らず、例えば、７００ｎｍ以上かつ１０００ｎｍ以下であってもよい。
【０３７３】
また、相対関係を補正するタイミングは、限定されない。つまり、処理部は、波高値計数処理（Ｓ３３）の前に１回だけ相対関係を補正してもよいし、検知信号から波高値を抽出する度に相対関係を補正してもよい。
【０３７４】
また、上記実施の形態及びその変形例における処理部、又は、上記実施の形態及びその変形例における汎用ＭＰＵ内の各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０３７５】
また、上記実施の形態の変形例２では、複数の波高値区分を区分けする１以上の閾値（第一閾値）は、測定対象となる粒径分布に応じて任意の個数及び間隔で設定されてもかまわない。同様に、複数の粒径区分を区分けする１以上の閾値（第二閾値）も、測定対象となる粒径分布に応じて任意の個数及び間隔で設定されてもかまわない。
【０３７６】
このように、第一閾値及び第二閾値を測定対象の粒径分布（例えば、ＰＭ２．５の粒径分布）に応じて設定することにより、第一閾値及び第二閾値を、例えば逆演算（デコンボリューション）等を行うことなく予め設定することができる。よって、短い測定時間で、かつ、より簡易な演算処理でも高精度に質量濃度を算出することができる。
【０３７７】
なお、第一閾値及び第二閾値は、これらの両方が測定対象となる粒径分布に応じて任意の個数及び間隔で設定されてもかまわないし、いずれか一方のみが設定されてもかまわない。
【０３７８】
また、上記各実施の形態及びその変形例において、粒子を含む媒体は、気体（空気）としたが、気体以外の媒体（水等の液体）であってもよい。
【０３７９】
また、上記各実施の形態及びその変形例において、センサ部の構成は、上記説明に示す構成に限らず、少なくとも、投光素子と受光素子とを備え、検知領域ＤＡにおける粒子による投光素子の光の散乱光を受光素子で受光すればよることにより気体中に含まれる粒子を検出すればよい。このような構成であっても、当該粒子検出センサを備える粒子検出センサは、気体に含まれる粒子の粒径を測定できる。
【０３８０】
増幅部の構成は、上記説明に示す構成に限らず、少なくともＩＶ変換部２４１から出力された電圧信号を所定の帯域で増幅すればよい。つまり、増幅部はバンドパスフィルタ２４２ａを含まなくてもよく、ハイパスフィルタ又はローパスフィルタ等を含んでもよい。また、増幅器２４２ｂは１段であっても複数段であってもよい。
【０３８１】
汎用ＭＰＵの構成は、上記説明に示す構成に限らず、少なくとも、増幅部２４２で増幅された電圧信号をサンプリング及び量子化するＡＤ変換部２６１を備えていればよい。このような構成であっても、当該汎用ＭＰＵを備える粒子検出センサは、ＡＤ変換部２６１で生成されたデジタルデータを用いて波形分析等を行うことが可能となり、気体に含まれる粒子についての種々の分析を行うことができる。よって、粒子の粒径を測定可能にする。
【０３８２】
例えば、汎用ＭＰＵでは、ＡＤ変換部２６１で生成されたデジタルデータをＦＦＴ（高速フーリエ変換）することにより、電圧信号に含まれるノイズを検出し、検出したノイズを除去してもよい。
【０３８３】
また、実施の形態において、処理部６２０は、上記説明に限らず、少なくともデジタルデータ及び補正係数を用いて、粒子の粒径を算出（演算）すればよい。例えば、処理部６２０はデジタルデータのピーク値を求め、求めたピーク値、及び、記憶部６５０に記憶されている補正係数ｆｋ１を用いてピーク値を補正し、補正したピーク値を用いて粒子の粒径を算出してもよい。
【０３８４】
また、補正係数は、製造工程における書き込みにより生成されたものに限らず、例えば、センサ部２００を起動してから所定時間経過する毎に生成されたものであってもよい。このように、センサ部２００の起動後に生成された補正係数を用いることにより、粒子検出センサ１は、当該センサ部２００を構成する部品の劣化等による粒径算出の精度の劣化を抑制できる。
【０３８５】
また、上記説明では、記憶部６５０に記憶されている補正係数は、検知領域ＤＡに基準粒子が導入された場合にセンサ部２００から出力された電流に基づいて算出された値に基づくとしたが、これに限らない。当該補正係数は、少なくとも当該記憶部６５０が搭載された粒子検出センサに搭載されているセンサ部２００の感度に応じていればよく、例えば、複数の粒子検出センサの平均感度に対する当該センサ部２００の感度に対応していてもよい。
【０３８６】
例えば、上記実施の形態及び変形例では、粒子検出センサが、例えば、図４０に示す空気清浄機に備えられている場合について説明したが、これに限られるものではない。粒子検出センサは、例えば、ダストセンサ、図４１に示す煙感知器、図４２に示す換気扇等あるいは図４３に示すエアコン等の空調機器等、他の任意の機器に搭載されていてもかまわない。
【０３８７】
その他、各実施の形態及び変形例に対して当業者が思いつく各種変形を施して得られる形態や、本開示の趣旨を逸脱しない範囲で各実施の形態における構成要素及び機能を任意に組み合わせることで実現される形態も本開示に含まれる。例えば、上記実施の形態の変形例６に上記実施の形態の変形例５を組み合わせて、複数の増幅部２４２の各々についてゲインを制御してもかまわない。
【符号の説明】
【０３８８】
１、１Ａ、１Ｂ  粒子検出センサ
２、  粒子
１２１  投光素子
１３１  受光素子
２４１    ＩＶ変換部
２４２、２４２Ａ、２４２Ｂ    増幅部
２６１、２６１Ａ、２６１Ｂ    ＡＤ変換部
６２０、６２０Ａ、６２０Ｂ、６２０Ｄ、６２０Ｆ  処理部
６５０  記憶部
ＤＡ  検知領域
【要約】
粒子検出センサ（１）は、投光素子（１２１）と受光素子（１３１）と処理部（６２０）とを備え、処理部（６２０）は、検知信号の波形から抽出された複数の波高値と１以上の第一閾値との相対関係を補正し、補正後の相対関係を用いて、複数の波高値の各々について、第一閾値により区分けされた複数の波高値区分のうちのいずれの波高値区分に属するかを判定する判定処理を実行することにより、気体中の粒子の質量濃度を算出する。【図１】
0005907498.tif 000003
【図２】
0005907498.tif 000004
【図３】
0005907498.tif 000005
【図４】
0005907498.tif 000006
【図５】
0005907498.tif 000007
【図６】
0005907498.tif 000008
【図７】
0005907498.tif 000009
【図８Ａ】
0005907498.tif 000010
【図８Ｂ】
0005907498.tif 000011
【図８Ｃ】
0005907498.tif 000012
【図９】
0005907498.tif 000013
【図１０】
0005907498.tif 000014
【図１１】
0005907498.tif 000015
【図１２】
0005907498.tif 000016
【図１３】
0005907498.tif 000017
【図１４】
0005907498.tif 000018
【図１５】
0005907498.tif 000019
【図１６】
0005907498.tif 000020
【図１７】
0005907498.tif 000021
【図１８】
0005907498.tif 000022
【図１９】
0005907498.tif 000023
【図２０】
0005907498.tif 000024
【図２１】
0005907498.tif 000025
【図２２】
0005907498.tif 000026
【図２３】
0005907498.tif 000027
【図２４】
0005907498.tif 000028
【図２５】
0005907498.tif 000029
【図２６】
0005907498.tif 000030
【図２７Ａ】
0005907498.tif 000031
【図２７Ｂ】
0005907498.tif 000032
【図２８】
0005907498.tif 000033
【図２９】
0005907498.tif 000034
【図３０】
0005907498.tif 000035
【図３１】
0005907498.tif 000036
【図３２】
0005907498.tif 000037
【図３３】
0005907498.tif 000038
【図３４】
0005907498.tif 000039
【図３５】
0005907498.tif 000040
【図３６】
0005907498.tif 000041
【図３７】
0005907498.tif 000042
【図３８】
0005907498.tif 000043
【図３９】
0005907498.tif 000044
【図４０】
0005907498.tif 000045
【図４１】
0005907498.tif 000046
【図４２】
0005907498.tif 000047
【図４３】
0005907498.tif 000048